(57)【特許請求の範囲】
【請求項１】
セル間干渉協調を提供する方法であって、
１または複数の負荷インジケータ信号を、１または複数の隣接セルで動作する対応する１または複数のネットワークノードから受信することと、
前記１または複数の負荷インジケータ信号に少なくとも部分的に基づいて送信電力メトリックを決定することと、
前記送信電力メトリックを、サービングネットワークノードに送ることと
備え、前記送信電力メトリックを決定することは、前記複数の負荷インジケータ信号の各々に対して、複数の最大電力メトリックのうちのいくつかを決定することを含み、前記送信電力メトリックは、前記複数の最大電力メトリックのうちの最小値に基づく、
方法。
【請求項２】
前記送信電力メトリックを決定することは、リソースブロックごとの最大電力メトリックを生成することを含む、
請求項１に記載の方法。
【請求項３】
前記リソースブロックごとの最大電力メトリックは、１または複数の構成サブ帯域の各々に対して生成されるサブ帯域メトリックに基づく、
請求項２に記載の方法。
【請求項４】
前記１または複数の隣接セルの受信機感度データを受信することをさらに備え、前記送信電力メトリックは、さらに、前記受信機感度データに部分的に基づく、
請求項１に記載の方法。
【請求項５】
前記送信電力メトリックは、さらに、前記対応するネットワークノードのうちの１または複数と関連付けられたパスロス値に部分的に基づく、
請求項１に記載の方法。
【請求項６】
前記送ることは、前記送信電力メトリックを、サブ帯域の構成数に対応するプロトコルデータユニット（ＰＤＵ）フォーマットで送ることを含む、
請求項１に記載の方法。
【請求項７】
前記送信電力メトリックは、前記複数の負荷インジケータ信号の各々に対して、前記最大電力メトリックのうちの１または複数に基づきうる、
請求項１に記載の方法。
【請求項８】
前記サービングネットワークノード、および、前記隣接セルで動作する１または複数のネットワークノードは、ｅＮＢである、
請求項１に記載の方法。
【請求項９】
前記決定することは、単一のサブフレームで行われる、
請求項１に記載の方法。
【請求項１０】
前記送ることは、サブフレームごとに一度、あるいは、整数倍の数のサブフレームごとに一度行われる、
請求項１に記載の方法。
【請求項１１】
特定のアップリンクチャネル割当を受信することをさらに備え、前記送信電力メトリックは、前記受信されたアップリンクチャネル割当上で送られる、
請求項１に記載の方法。
【請求項１２】
コンピュータプログラムであって、コンピュータに対して、
１または複数の隣接セルで動作する、対応する１または複数のネットワークノードから１または複数の負荷インジケータ信号を受信させるためのコードと、
前記１または複数の負荷インジケータ信号に少なくとも部分的に基づいて送信電力メトリックを決定させるためのコードと、
前記送信電力メトリックをサービングネットワークノードに送らせるためのコードと
を含み、前記送信電力メトリックを決定させるためのコードは、前記複数の負荷インジケータ信号の各々に対して、複数の最大電力メトリックのうちのいくつかを決定させるためのコードを含み、前記送信電力メトリックは、前記複数の最大電力メトリックのうちの最小値に基づく、む、コンピュータプログラム。
【請求項１３】
前記送信電力メトリックを決定させるためのコードは、前記コンピュータに対して、リソースブロックごとの最大電力メトリックを生成させるためのコードを含む、
請求項１２に記載のコンピュータプログラム。
【請求項１４】
前記コードは、さらに、前記コンピュータに対して、前記１または複数の隣接セルの受信機感度データを受信させるためのコードを含み、前記送信電力メトリックは、さらに、前記受信機感度データに部分的に基づく、
請求項１２に記載のコンピュータプログラム。
【請求項１５】
前記コードは、さらに、前記コンピュータに対して、前記対応するネットワークノードの１または複数と関連付けられたパスロス値に少なくとも部分的に基づいて、前記送信電力メトリックを生成させるためのコードを含む、
請求項１２に記載のコンピュータプログラム。
【請求項１６】
前記送信電力メトリックは、前記複数の負荷インジケータ信号の各々に対して、前記最大電力メトリックのうちの１または複数に基づく、
請求項１２に記載のコンピュータプログラム。
【請求項１７】
通信デバイスであって、
１または複数の負荷インジケータ信号を、１または複数の隣接セルで動作する対応する１または複数のネットワークノードから受信するように構成された受信機モジュールと、
前記１または複数の負荷インジケータ信号に少なくとも部分的に基づいて送信電力メトリックを決定するように構成されたプロセッサモジュールと、
前記送信電力メトリックを、サービングネットワークノードに送るように構成された送信機モジュールと
を備え、前記プロセッサモジュールは、前記複数の負荷インジケータ信号の各々に対して複数の最大電力メトリックのうちのいくつかを決定するように構成され、前記送信電力メトリックは、前記複数の最大電力メトリックの最小値に基づく、
通信デバイス。
【請求項１８】
前記プロセッサモジュールは、リソースブロックごとの最大電力メトリックを生成することによって、送信電力メトリックを決定ように構成される、
請求項１７に記載の通信デバイス。
【請求項１９】
前記プロセッサモジュールは、さらに、前記１または複数の隣接セルの受信機感度データに部分的に基づいて前記送信電力メトリックを生成するように構成される、
請求項１７に記載の通信デバイス。
【請求項２０】
前記プロセッサモジュールは、さらに、前記対応するネットワークノードのうちの１または複数と関連付けられたパスロス値に基づいて前記送信電力メトリックを生成するように構成される、
請求項１７に記載の通信デバイス。
【請求項２１】
前記送信電力メトリックは、前記複数の負荷インジケータ信号の各々に対して、前記最大電力メトリックのうちの１または複数に基づく、
請求項１７に記載の通信デバイス。
【請求項２２】
通信デバイスであって、
１または複数の負荷インジケータ信号を、１または複数の隣接セルで動作する対応する１または複数のネットワークノードから受信するための手段と、
前記１または複数の負荷インジケータ信号に少なくとも部分的に基づいて送信電力メトリックを決定するための手段と、
前記送信電力メトリックを、サービングネットワークノードに送るための手段と
を備え、前記送信電力メトリックを決定するための手段は、前記複数の負荷インジケータ信号の各々に対して、複数の最大電力メトリックのうちのいくつかを決定するための手段を含み、前記送信電力メトリックは、前記複数の最大電力メトリックのうちの最小値に基づく、
通信デバイス。
【請求項２３】
負荷インジケーションを提供するための方法であって、
サービス提供されるＵＥから送信電力メトリックを受信することと
前記送信電力メトリックに少なくとも部分的に基づいて、前記サービス提供されるＵＥについてのアップリンクスケジューリング割当を生成することと、
を備え、前記送信電力メトリックは、１または複数の隣接セルで動作する対応するネットワークノードから受信した１または複数の負荷インジケータに少なくとも部分的に基づき、前記複数の負荷インジケータ信号の各々に対して、決定された複数の最大電力メトリックのうちの最小値に基づく
方法。
【請求項２４】
前記送信電力メトリックは、リソースブロックごとの最大電力メトリックを備える、
請求項２３に記載の方法。
【請求項２５】
前記送信電力メトリックは、サブフレームごとに、あるいは、整数倍の数のサブフレームごとに受信される、
請求項２３に記載の方法。
【請求項２６】
前記送信電力メトリックを送るためにアップリンク割付を提供することと、
前記割付と一致する前記送信電力メトリックを受信することと
をさらに備える、請求項２３に記載の方法。
【請求項２７】
前記アップリンクスケジューリング割当を前記サービス提供されるＵＥに送ることをさらに備える、
請求項２３に記載の方法。
【請求項２８】
コンピュータプログラムであって、コンピュータに対して、
サービス提供されるユーザ機器（ＵＥ）から送信電力メトリックを受信させるためのコードと、
前記送信電力メトリックに少なくとも部分的に基づいて、前記サービス提供されるＵＥについてのアップリンクスケジューリング割当を生成させるためのコードと
を含み、前記送信電力メトリックは、１または複数の隣接セルで動作する対応するネットワークノードから受信した１または複数の負荷インジケータに少なくとも部分的に基づき、前記複数の負荷インジケータ信号の各々に対して、決定された複数の最大電力メトリックのうちの最小値に基づくむ、コンピュータプログラム。
【請求項２９】
前記送信電力メトリックは、リソースブロックごとの最大電力メトリックを備える、
請求項２８に記載のコンピュータプログラム。
【請求項３０】
前記送信電力メトリックは、サブフレームごとに、あるいは、整数倍の数のサブフレームごとに受信される、
請求項２８に記載のコンピュータプログラム。
【請求項３１】
前記コードは、さらに、前記コンピュータに対して、
前記送信電力メトリックを送るためにアップリンク割付を提供させるためのコードと、
前記割付と一致する前記送信電力メトリックを受信させるためのコードと
を備える、請求項２８に記載のコンピュータプログラム。
【請求項３２】
前記コードは、さらに、前記コンピュータに対して、前記アップリンクスケジューリング割当を前記サービス提供されるＵＥに送らせるコードを備える、
請求項２８に記載のコンピュータプログラム。
【請求項３３】
通信デバイスであって
サービス提供されるＵＥから送信電力メトリックを受信するように構成された受信機モジュールと、
前記送信電力メトリックに少なくとも部分的に基づいて、前記サービス提供されるＵＥについてのアップリンクスケジューリング割当を生成するように構成されたプロセッサモジュールと
を備え、前記送信電力メトリックは、１または複数の隣接セルで動作する対応するネットワークノードから受信した１または複数の負荷インジケータに少なくとも部分的に基づき、前記複数の負荷インジケータ信号の各々に対して、決定された複数の最大電力メトリックのうちの最小値に基づく、
通信デバイス。
【請求項３４】
前記送信電力メトリックは、リソースブロックごとの最大電力メトリックを備える、
請求項３３に記載の通信デバイス。
【請求項３５】
前記送信電力メトリックは、サブフレームごとに、あるいは、整数倍の数のサブフレームごとに受信される、
請求項３３に記載の通信デバイス。
【請求項３６】
前記プロセッサモジュールは、さらに、前記送信電力メトリックを送るためにアップリンク割付を提供するように構成され、
前記受信機モジュールは、さらに、前記割付と一致する前記送信電力メトリックを受信するように構成される、
請求項３３に記載の通信デバイス。
【請求項３７】
前記アップリンクスケジューリング割当を前記サービス提供されるＵＥに送るように構成された送信機モジュールをさらに備える、
請求項３３に記載の通信デバイス。
【請求項３８】
通信デバイスであって
サービス提供されるＵＥから送信電力メトリックを受信するための手段と、
前記送信電力メトリックに少なくとも部分的に基づいて、前記サービス提供されるＵＥについてのアップリンクスケジューリング割当を生成するための手段と
を備え、前記送信電力メトリックは、１または複数の隣接セルで動作する対応するネットワークノードから受信した１または複数の負荷インジケータに少なくとも部分的に基づき、前記複数の負荷インジケータ信号の各々に対して、決定された複数の最大電力メトリックのうちの最小値に基づく、
通信デバイス。
【発明の詳細な説明】
【関連出願への相互参照】
【０００１】
本出願は、米国特許法第３５条に基づいて、全ての目的のために全体が参照により本明細書に組み込まれる２００９年９月１５日に出願された「OVER THE AIR LOAD INDICATOR FOR WIRELESS SCHEDULING」と題する米国仮出願番号６１／２４２，７３６への優先権を主張する。
【技術分野】
【０００２】
本出願は、一般的にワイヤレス通信システムに関する。より詳細には、本出願は、ワイヤレス通信システムにおいてセル間干渉協調（ＩＣＩＣ）および関連スケジューリングを容易にするために、無線経由（ＯＴＡ）負荷インジケーションシグナリングを提供する方法および装置に関するが、これに限定されるものではない。
【背景技術】
【０００３】
ワイヤレス通信システムは、音声、データビデオなどの様々なタイプの通信コンテンツを提供するために広く展開されており、展開は、ロングタームエボリューション（ＬＴＥ）システムなどの新しいデータ指向システの導入で増えることが見込まれる。ワイヤレス通信システムは、利用可能なシステムリソース（例えば、帯域幅、送信電力など）を共有することによって複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム、および、別の直交周波数分割多元接続（ＯＦＤＭＡ）システムを含む。
【０００４】
一般的に、ワイヤレス多元接続通信システムは、複数のワイヤレス端末（ユーザ機器（ＵＥ）またはアクセス端末（ＡＴ）としても知られている）のための通信を同時にサポートすることができる。各端末は、順方向リンクおよび逆方向リンク上の送信を介して、１または複数１の基地局（アクセスポイント（ＡＰ）、発展型ノードＢ、または、ｅＮＢとしても知られている）と通信する。順方向リンク（ダウンリンクあるいはＤＬとも呼ばれる）は、基地局から端末への通信リンクを指し、逆方向リンク（アップリンクあるいはＵＬとも呼ばれる）は、端末から基地局への通信リンクを指す。これらの通信リンクは、単一入力単一出力システム、単一入力多重出力、多重入力単一出力システム、または、多重入力多重出力（ＭＩＭＯ）システムを介して確立される。
【０００５】
ＭＩＭＯシステムは、データ送信のために、複数（ＮＴ個）の送信アンテナと、複数（ＮＲ個）の受信アンテナを用いる。ＮＴ個の送信アンテナおよびＮＲ個の受信アンテナによって形成されるＭＩＭＯチャネルは、空間チャネルとも呼ばれるＮＳ個の独立チャネルに分解されうる。一般的に、ＮＳ個の独立チャネルの各々は、１つの次元（dimension）に対応する。ＭＩＭＯシステムは、複数の送信アンテナおよび受信アンテナによって形成される次元性がさらに利用されると、向上した性能（例えば、より高いスループット、および／または、より高い信頼性）を提供することができる。ＭＩＭＯシステムは、時分割双方向（ＴＤＤ）システムおよび周波数分割双方向（ＦＤＤ）システムをサポートしうる。ＴＤＤシステムにおいて、順方向および逆方向リンク送信は、相反原理により、逆方向リンクチャネルから順方向リンクチャネルを推定できるように、同一の周波数領域上である。これによって、アクセスポイントは、複数のアンテナがアクセスポイントで利用可能な場合に、順方向リンク上で送信ビームフォーミング利得を抽出することができる。
【０００６】
ｅＮＢと呼ばれることがある基地局ノードは、ネットワークでの展開に対して異なる性能を有する。これは、送信電力クラス、アクセス制限などを含む。１つの態様において、異種ネットワーク特性は、ワイヤレスカバレッジのデッドスポット（例えば、ドーナツ型カバレッジホール）を作る。これにより、望ましくないユーザ機器のセル関連付けを要求する深刻なセル間干渉が起こりうる。一般的に、異種ネットワーク特性は、物理チャネルの深い侵入を要求し、それは、それぞれのネットワーク上のノードと機器との間で望まれない干渉を引き起こしうる。
【０００７】
展開されるモバイル局の数が増えるにつれ、適切な帯域幅の利用に対する必要性が、ますます重要になる。さらに、ＬＴＥなどのシステムにおいて、フェムトセルなどの小さいセルを管理するために半自律基地局を導入することで、既存の基地局への干渉がますます深刻な問題になりうる。
【発明の概要】
【０００８】
本開示は、一般的に、ワイヤレス通信システムにおけるセル間干渉協調（ＩＣＩ）を対象としている。例として、ＬＴＥシステムのようなワイヤレス通信システムにおいてアクセス端末（ＡＴ）またはユーザ機器（ＵＥ）によって行なわれる１つの機能は、隣接（adjacent）または近隣（neighboring）のセルに存在しうる周囲の送信機についての干渉およびパスロスの決定に関する。これらの決定は、ネットワーク基地局を識別し、ハンドオフ決定を行い、ネットワークセル間または他のネットワーク間の干渉を管理する際に、または、ＩＣＩＣ機能に用いられうる。様々な条件（例えば、現在のネットワーク負荷、普及しているワイヤレス条件、チャネル品質、１または複数のワイヤレスリンク上のパスロスなど）に依存して、近隣セルおよび関連基地局への干渉を緩和する方法で、ＵＥ送信を特定のリソースおよび／または特定の送信電力でスケジュールすることが望まれうる。
【０００９】
ゆえに、例に従って、本開示は、セル間干渉協調（ＩＣＩＣ）を提供する方法に関しうる。方法は、例えば、対応する１または複数のネットワークノードから１または複数の負荷インジケータ（ＬＩ）信号を受信することと、１または複数の負荷インジケータ信号に少なくとも部分的に基づいて、送信電力メトリックを決定することとを含みうる。方法は、さらに、送信電力メトリックを、サービングネットワークノードに送ることを含みうる。
【００１０】
ネットワークノードは、例えば、隣接セルで動作しうる。１または複数の負荷インジケータ信号は、１または複数の対応ネットワークノードから提供されうる。この対応ネットワークノードは、対応する隣接セルで動作するように構成されうる。送信電力メトリックを決定するステップは、例えば、リソースブロックごとの最大電力メトリックの生成することを含みうる。リソースブロックごとの最大電力メトリックは、例えば、１または複数の構成サブ帯域の各々に対して生成されるサブ帯域メトリックに基づきうる。
【００１１】
方法は、さらに、例えば、受信機感度データ受信することを含み、送信電力メトリックは、さらに、この受信機感度データに部分的に基づきうる。送信電力メトリックは、さらに、例えば、１または複数の対応ネットワークノードと関連付けられたパスロス値に部分的に基づきうる。送るステップは、例えば、構成された数のサブ帯域に対応するプロトコルデータユニット（ＰＤＵ）フォーマットで送信電力メトリックを送ることを含みうる。送信電力メトリックを決定するステップは、例えば、複数の負荷インジケータ信号の各々に対して、複数の最大電力メトリックのうちのいくつかを決定することを含みうる。送信電力メトリックは、例えば、複数の負荷インジケータ信号の各々に対する１または複数の最大電力メトリックに基づきうる。
【００１２】
送信電力メトリックを決定するステップは、例えば、複数の負荷インジケータ信号の各々に対して、複数の最大電力メトリックのいくつかを決定することを含み、送信電力メトリックは、複数の最大電力メトリックの最小値に基づきうる。サービングネットワークノードは、例えば、１つのｅＮＢであり、複数ネットワークノードは、例えば、複数のｅＮＢでありうる。決定するステップは、例えば、単一のサブフレームの間に行われうる。送るステップは、例えば、サブフレームごとに一度、あるいは、整数倍の数のサブフレームごとに一度行われうる。方法は、さらに、特定のアップリンクチャネル割当を受信することを含み、送信電力メトリックは、受信されたアップリンクチャネル割当上で送られうる。
【００１３】
別の態様において、本開示は、コンピュータプログラムプロダクトに関する。コンピュータプログラムプロダクトは、例えば、コンピュータに対して、１または複数のネットワークノードから１または複数の負荷インジケータ信号を受信させ、１または複数の負荷インジケータ信号に少なくとも部分的に基づいて、送信電力メトリックを決定させるコードを含むコンピュータ可読媒体を含みうる。コードは、例えば、コンピュータに対して、送信電力メトリックをサービングネットワークノードに送らせるコードをさらに含みうる。
【００１４】
別の態様において、本開示は、通信デバイスに関する。通信デバイスは、例えば、１または複数の負荷インジケータ信号を１または複数のネットワークノードから受信するように構成された受信機モジュールと、１または複数の負荷インジケータ信号に少なくとも部分的に基づいて、送信電力メトリックを決定するように構成されたプロセッサモジュールと、電力メトリックをサービングネットワークノードに送るように構成された送信モジュールとを含みうる。
【００１５】
別の態様において、本開示は、通信デバイスに関する。通信デバイスは、例えば、１または複数の負荷インジケータ信号を１または複数のネットワークノードから受信するための手段と、１または複数の負荷インジケータ信号に少なくとも部分的に基づいて送信電力メトリックを決定するための手段と、サービングネットワークノードに送信電力メトリックを送るための手段とを含みうる。
【００１６】
別の態様において、本開示は、セル間干渉協調（ＩＣＩＣ）を提供する方法に関する。方法は、例えば、対応する複数の隣接ネットワークノードから提供される複数の負荷インジケータ信号の各々に対して、複数の最大電力メトリックのうちのいくつかを決定することを含みうる。方法は、例えば、複数の最大電力メトリックに基づいて送信電力メトリックを生成することをさらに含みうる。送信電力メトリックは、メモリに記憶されうる。
【００１７】
送信電力メトリックは、例えば、複数の最大電力メトリックのいくつかのうちの最小値に基づきうる。送信電力メトリックは、例えば、複数の最大電力メトリックを含みうる。送信電力メトリックは、例えば、隣接ノードに対応する受信機感度メトリックに部分的に基づきうる。受信機感度メトリックは、例えば、公称受信機感度メトリック、および／または、ＵＥベースのオフセットメトリックを含みうる。あるいは、または、加えて、送信電力メトリックは、例えば、隣接ネットワークノードに対する推定されたパスロスメトリックに部分的に基づきうる。最大電力メトリックは、例えば、累積された無線経由（ＯＴＡ）干渉補正値に部分的に基づきうる。送信電力メトリックは、例えば、サブフレームごとに一度生成されうる。方法は、さらに、例えば、送信電力メトリックをサービングネットワーク基地局に送ることを含みうる。
【００１８】
別の態様において、本開示は、コンピュータプログラムプロダクトに関する。コンピュータプログラムプロダクトは、例えば、コンピュータに対して、対応する複数の隣接ネットワークノードから提供される複数の負荷インジケータ信号の各々対して複数の最大電力メトリックのうちのいくつかを決定させ、複数の最大電力メトリックに基づいて送信電力メトリックを生成させるコードを含むコンピュータ可読媒体を含みうる。コードは、さらに、送信電力メトリックをメモリに記憶するためのコードを含みうる。
【００１９】
別の態様において、本開示は、通信デバイスに関する。通信デバイスは、例えば、対応する複数の隣接ネットワークノードから提供される複数の負荷インジケータ信号の各々に対して複数の最大電力メトリックのうちのいくつかを決定するように構成された受信機モジュールと、複数の最大電力メトリックに基づいて送信電力メトリックを生成するように構成されたプロセッサモジュールと、送信電力メトリックを記憶するように構成されたメモリとを含みうる。
【００２０】
別の態様において、本開示は、通信デバイスに関する。通信デバイスは、例えば、対応する複数の隣接ネットワークノードから提供される複数の負荷インジケータ信号の各々に対して、複数の最大電力メトリックのうちのいくつかを決定するための手段と、複数の最大電力メトリックに基づいて送信電力メトリックを生成するための手段と、送信電力メトリックを記憶するための手段とを含みうる。
【００２１】
別の態様において、本開示は、負荷インジケーションを提供する方法に関する。方法は、例えば、サービス提供されるＵＥから送信電力メトリックを受信することと、送信電力メトリックに少なくとも部分的に基づいて、サービス提供されるＵＥに対してアップリンクスケジューリング割当を生成することとを含みうる。
【００２２】
送信電力メトリックは、例えば、リソースブロックごとの最大電力メトリックを含みうる。送信電力メトリックは、サブフレームごとに一度、あるいは、整数倍の数のサブフレームごとに一度受信されうる。
【００２３】
方法は、さらに、例えば、送信電力メトリックを送るためにアップリンク割付を提供することと、割付と一致する送信電力メトリックを受信することとを含みうる。方法は、さらに、アップリンクスケジューリング割当を、サービス提供されるＵＥに送ることを含みうる。
【００２４】
別の態様において、本開示は、コンピュータプログラムプロダクトに関する。コンピュータプログラムプロダクトは、例えば、コンピュータに対して、サービス提供されるＵＥから送信電力メトリックを受信させ、送信電力メトリックに少なくとも部分的に基づいて、サービス提供されるＵＥに対してアップリンクスケジューリング割当を生成させるコードを含むコンピュータ可読媒体を含みうる。
【００２５】
別の態様において、本開示は、通信デバイスに関する。通信デバイスは、例えば、サービス提供されるＵＥから送信電力メトリックを受信するように構成された受信機モジュールを含みうる。通信デバイスは、さらに、例えば、送信電力メトリックに少なくとも部分的に基づいて、サービス提供されるＵＥに対してアップリンクスケジューリング割当を生成するように構成されたプロセッサモジュールを含みうる。
【００２６】
別の態様において、本開示は、通信デバイスに関する。通信デバイスは、例えば、サービス提供されるＵＥから送信電力メトリックを受信するための手段を含みうる。通信デバイスは、さらに、例えば、送信電力メトリックに少なくとも部分的に基づいて、サービス提供されるＵＥに対してアップリンクスケジューリング割当を生成のための手段を含みうる。
【００２７】
別の態様において、本開示は、無線経由負荷インジケータ信号（ＯＴＡ ＬＩ）を提供する方法に関する。方法は、例えば、負荷インジケータ信号を生成することと、この負荷インジケータ信号を、１または複数の隣接ワイヤレスネットワークセルと関連付けられた１または複数のワイヤレスネットワークノードに送ることとを含みうる。
【００２８】
１または複数のワイヤレスネットワークノードは、ユーザ機器（ＵＥ）でありうる。ＯＴＡ ＬＩは、例えば、測定されたフィルタリング済みのＩｏＴ（interference over thermal noise）に基づきうる。方法は、さらに、例えば、隣接または近隣セルの１または複数の基地局に受信機感度情報を送ることを含みうる。
【００２９】
別の態様において、本開示は、コンピュータプログラムプロダクトに関する。コンピュータプログラムプロダクトは、例えば、コンピュータに対して、負荷インジケータ信号を生成させ、１または複数の隣接ワイヤレスネットワークセルと関連付けられた１または複数のワイヤレスネットワークノードに負荷インジケータ信号を送らせるコードを含みコンピュータ可読媒体を含みうる。
【００３０】
別の態様において、本開示は、通信デバイスに関する。通信デバイスは、例えば、負荷インジケータ信号を生成するように構成されたプロセッサモジュールを含みうる。通信デバイスは、さらに、例えば、この負荷インジケータ信号を、１または複数の隣接ワイヤレスネットワークセルと関連付けられた１または複数のワイヤレスネットワークノードに送るように構成された送信機モジュールを含みうる。
【００３１】
別の態様において、本開示は、通信デバイスに関する。通信デバイスは、例えば、負荷インジケータ信号を生成するための手段を含みうる。通信デバイスは、例えば、１または複数の隣接ワイヤレスネットワークセルと関連付けられた１または複数のワイヤレスネットワークノードに負荷インジケータ信号を送るための手段をさらに含みうる。
【００３２】
追加の態様は、添付された図面に関してさらに下記に述べられる。
【図面の簡単な説明】
【００３３】
本出願は、添付の図面を参照した、次に続く発明の詳細な説明に関して、さらに十分に認識されうる。
【図１】図１は、ワイヤレス通信システムの詳細を示す。
【図２】図２は、複数のセルと、関連ワイヤレスネットワークノードを有するワイヤレス通信システムの詳細を示す。
【図３】図３は、ワイヤレスネットワークノード間のセル間協調の実施形態の詳細を示す。
【図４】図４は、セル間干渉協調が実現されうるワイヤレス通信システムの実施形態の詳細を示す。
【図５】図５は、送信電力装置の実施形態の詳細を示す。
【図６】図６は、様々なデータおよび情報が記憶されうるデータベースの実施形態の詳細を示す。
【図７】図７は、負荷された状態および負荷のない状態について、負荷インジケータ値の機能マッピングの実施形態の詳細を示す。
【図８】図８は、負荷インジケータ装置の実施形態の詳細を示す。
【図９】図９は、セル間干渉協調を容易にするために負荷インジケータ処理を実行するプロセスの詳細を示す。
【図１０】図１０は、セル間干渉協調を容易にするためのプロセスの実施形態の詳細を示す。
【図１１】図１１は、セル間干渉協調を容易にするためのプロセスの実施形態の詳細を示す。
【図１２】図１２は、セル間干渉協調を容易にするためのプロセスの実施形態の詳細を示す。
【図１３】図１３は、セル間干渉協調を容易にするためのプロセスの実施形態の詳細を示す。
【図１４】図１４は、セル間干渉協調を容易にするためのプロセスの実施形態の詳細を示す。
【図１５】図１５は、システム情報ブロードキャスト（ＳＩＢ）データの実施形態のための例示的な情報エレメント（ＩＥ）を示す。
【図１６】図１６は、ワイヤレス通信システムのためのユーザ機器（ＵＥ）および基地局（ｅＮＢ）アーキテクチャの実施形態の詳細を示す。
【図１７】図１７は、ワイヤレス通信システムにおいてセル間干渉協調を容易にするモジュールの実施形態を示す。
【図１８】図１８は、ワイヤレス通信システムにおいてセル間干渉協調を容易にするモジュールの実施形態を示す。
【発明を実施するための形態】
【００３４】
本開示は、一般的に、ワイヤレス通信システムを対象としている。より具体的に、本出願は、ワイヤレス通信システムにおいてセル間干渉協調（ＩＣＩＣ）と関連処理、および、スケジューリングを容易にするために、無線経由（ＯＴＡ）負荷インジケーションシグナリングを提供する方法および装置に関するが、それに限定されない。様々な実施形態において、本明細書に記述された技術および装置は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワーク、ＬＴＥネットワーク、並びに、他の通信ネットワークなどのワイヤレス通信ネットワークに対して使用されうる。本明細書に記述される場合、「ネットワーク」および「システム」という用語は交換して使用されうる。
【００３５】
態様を記述する前に、実施形態が実現されうる様々な通信システムと関連付けられた詳細および用語をさらに詳しく下に記述する。
【００３６】
ＣＤＭＡネットワークは、ＵＴＲＡ（Universal Terrestrial Radio Access）、ｃｄｍａ２０００などの無線テクノロジを実現しうる。ＵＴＲＡは、広帯域ＣＤＭＡ（Ｗ−ＣＤＭＡ）および低チップレート（ＬＣＲ）を含む。Ｃｄｍａ２０００は、ＩＳ−２０００、ＩＳ−９５、およびＩＳ−８５６規格をカバーする。ＴＤＭＡネットワークは、ＧＳＭ（登録商標）（Global System for Mobile Communications）などの無線テクノロジを実現しうる。
【００３７】
ＯＦＤＭＡネットワークは、次世代ＵＴＲＡ（Ｅ−ＵＴＲＡ）、ＩＥＥＥ ８０２.１１、ＩＥＥＥ ８０２.１６、ＩＥＥＥ ８０２.２０、フラッシュＯＦＤＭ（登録商標）などの無線テクノロジを実現しうる。ＵＴＲＡ、Ｅ−ＵＴＲＡ、ＧＳＭは、ＵＭＴＳ（Universal Mobile Telecommunication System）の一部である。特に、ロングタームエボリューション（ＬＴＥ）は、Ｅ−ＵＴＲＡを使用するＵＭＴＳのリリースである。ＵＴＡＲ、Ｅ−ＵＴＲＡ、ＧＳＭ、ＵＭＴＳ、ＬＴＥは、「第３世代パートナーシッププロジェクト（３ＧＰＰ）」という名称の団体から提供される文書に記述されており、ｃｄｍａ２０００は、「第３世代パートナーシッププロジェクト２（３ＧＰＰ２）」という名称の団体からの文書に記述されている。これらの様々な無線テクノロジおよび規格は、当技術分野で知られているか、あるいは、開発されている。例えば、第３世代パートナーシッププロジェクト（３ＧＰＰ）は、グローバルに適用可能な第３世代（３Ｇ）モバイル電話仕様の定義化を目指す電気通信工業会のグループのコラボレーションである。３ＧＰＰロングタームエボリューション（ＬＴＥ）は、ＵＭＴＳモバイル電話仕様の向上を目指す３ＧＰＰプロジェクトである。３ＧＰＰは、モバイルネットワーク、モバイルシステム、および、モバイルデバイスの次世代の仕様を定義しうる。明瞭さのために、装置および技術の特定の態様は、ＬＴＥインプリメンテーションに関して下に記述され、ＬＴＥ用語が下の記述の大部分において使用されるが、この記述が、ＬＴＥアプリケーションに限定されることは企図されない。従って、本明細書に記述される装置および方法が、様々な別の通信システムおよびアプリケーションに適用可能であることは、当業者には明白になるであろう。
【００３８】
単一キャリア変調と周波数ドメイン等化を利用する単一キャリア周波数分割多元接続（ＳＣ−ＦＤＭＡ）は、３ＧＰＰロングタームエボリューション（ＬＴＥ）または別の通信システムに使用されうる技術である。ＳＣ−ＦＤＭＡは、ＯＦＤＭＡインプリメンテーションメンテーションと類似した性能、および、本質的に同じ全体の複雑性を有する。しかしながら、ＳＣ−ＦＤＭＡ信号は、それ固有の単一キャリア構造により、より低いピーク対平均電力比（ＰＡＰＲ）を有する。結果として、ＳＣ−ＦＤＭＡは、特に、送信電力効率性という観点からより低いＰＡＰＲがモバイル端末に多くの利益をもたらすアップリンク通信において、多くの注意を引き出す。これは、ＬＴＥにおけるアップリンク多元接続スキームについての現在取り組んでいる仮定である。
【００３９】
ワイヤレス通信システムにおける論理チャネルは、制御チャネルとトラフィックチャネルとに分類されうる。論理制御チャネルは、システム制御情報をブロードキャストするためのダウンリンク（ＤＬ）チャネルであるブロードキャスト制御チャネル（ＢＣＣＨ）ページング情報を転送するＤＬチャネルであるページング制御チャネル（ＰＣＣＨ）、および、マルチメディアブロードキャスト／マルチキャストサービス（ＭＢＭＳ）スケジューリングと、１または複数のＭＴＣＨについての制御情報とを送信するために使用されるポイント・ツー・マルチポイントＤＬチャネルであるマルチキャスト制御チャネル（ＭＣＣＨ）を含みうる。一般的に、無線リソース制御（ＲＲＣ）接続の確立後、このチャネルは、ＭＢＭＳを受信するＵＥによってのみ使用される。個別制御チャネル（ＤＣＣＨ）は、専用制御情報を送信し、ＲＲＣ接続を有するＵＥによって使用されるポイント・ツー・ポイント双方向チャネルである。
【００４０】
論理トラフィックチャネルは、ユーザ情報を転送するための、１つのＵＥ専用のポイント・ツー・ポイン双方向チャネルである個別トラフィックチャネル（ＤＴＣＨ）、および、トラフィックデータを送信するためのポイント・ツー・マルチポイントＤＬチャネルのためのマルチキャストトラフィックチャネル（ＭＴＣＨ）を含みうる。
【００４１】
転送チャネルは、ダウンリンク（ＤＬ）およびアップリンク（ＵＬ）転送チャネルに分類されうる。ＤＬ転送チャネルは、ブロードキャストチャネル（ＢＣＨ）、ダウンリンク共有データチャネル（ＤＬ−ＳＤＣＨ）、および、ページングチャネル（ＰＣＨ）を含みうる。ＰＣＨは、ＵＥ電力節約のサポートに使用され（ＤＲＸ周期が、ネットワークによってＵＥに示された場合）、セル全体を通してブロードキャストされ、別の制御／トラフィックチャネルに使用されうる物理レイヤ（ＰＨＹ）リソースにマッピングされうる。ＵＬ転送チャネルは、ランダムアクセスチャネル（ＲＡＣＨ）、要求チャネル（ＲＥＱＣＨ）、アップリンク共有データチャネル（ＵＬ−ＳＤＣＨ）、および、複数のＰＨＹチャネルを含みうる。ＰＨＹチャネルは、ＤＬチャネルおよびＵＬチャネルのセットを含みうる。
【００４２】
加えて、ＤＬ ＰＨＹチャネルは、  
共通パイロットチャネル（ＣＰＩＣＨ）  
同期チャネル（ＳＣＨ）  
共通制御チャネル（ＣＣＣＨ）  
共有ＤＬ制御チャネル（ＳＤＣＣＨ）  
マルチキャスト制御チャネル（ＭＣＣＨ）  
共有ＵＬ割当チャネル（ＳＵＡＣＨ）  
肯定応答チャネル（ＡＣＫＣＨ）  
ＤＬ物理共有データチャネル（ＤＬ−ＰＳＤＣＨ）  
ＵＬ電力制御チャネル（ＵＰＣＣＨ）  
ページングインジケータチャネル（ＰＩＣＨ）  
負荷インジケータチャネル（ＬＩＣＨ）
を含みうる。
【００４３】
ＵＬ ＰＨＹチャネルは、  
物理ランダムアクセスチャネル（ＰＲＡＣＨ）  
チャネル品質インジケータチャネル（ＣＱＩＣＨ）  
肯定応答チャネル（ＡＣＫＣＨ）  
アンテナサブセットインジケータチャネル（ＡＳＩＣＨ）  
共有要求チャネル（ＳＲＥＱＣＨ）  
ＵＬ物理共有データチャネル（ＵＬ−ＰＳＤＣＨ）  
ブロードバンドパイロットチャネル（ＢＰＩＣＨ）  
を含みうる。
【００４４】
「例示的（exemplary）」という用語は、本明細書において、「実例、事例、例証としての役割を果たすこと」を意味するために使用される。「例示的」として本明細書に記述される任意の態様および／または実施形態は、他の態様および／または実施形態より好ましいとか有利であると必ずしも解釈されない。
【００４５】
様々な態様および／または実施形態の説明を目的として、  
ＡＭ              肯定応答モード  
ＡＭＤ            肯定応答モードデータ  
ＡＲＱ            自動再送要求  
ＢＣＣＨ          ブロードキャスト制御チャネル  
ＢＣＨ            ブロードキャストチャネル  
Ｃ−              制御−  
ＣＣＣＨ          共通制御チャネル  
ＣＣＨ            制御チャネル  
ＣＣＴｒＣＨ      符号化合成転送チャネル  
ＣＰ              サイクリックプリフィックス  
ＣＲＣ            巡回冗長検査  
ＣＴＣＨ          共通トラフィックチャネル  
ＤＣＣＨ          個別制御チャネル  
ＤＣＨ            個別チャネル  
ＤＬ              ダウンリンク  
ＤＳＣＨ          ダウンリンク共有チャネル  
ＤＴＣＨ          個別トラフィックチャネル  
ＦＡＣＨ          順方向リンクアクセスチャネル  
ＦＤＤ            周波数分割多重  
Ｌ１              レイヤ１（物理レイヤ）  
Ｌ２              レイヤ２（データリンクレイヤ）  
Ｌ３              レイヤ３（ネットワークレイヤ）  
ＬＩ              長さインジケータ  
ＬＳＢ            最下位ビット  
ＭＡＣ            媒体アクセス制御  
ＭＢＭＳ          マルチメディアブロードキャストマルチキャストサービス  
ＭＣＣＨ          ＭＢＭＳポイント・ツー・マルチポイント制御チャネル  
ＭＲＷ            動き受信ウィンドウ  
ＭＳＢ            最上位ビット  
ＭＳＣＨ          ＭＢＭＳポイント・ツー・マルチポイントスケジューリングチャネル  
ＭＴＣＨ          ＭＢＭＳポイント・ツー・マルチポイントトラフィックチャネル  
ＰＣＣＨ          ページング制御チャネル  
ＰＣＨ            ページングチャネル  
ＰＤＵ      プロトコルデータユニット  
ＰＨＹ            物理レイヤ  
ＰｈｙＣＨ        物理チャネル  
ＲＡＣＨ          ランダムアクセスチャネル  
ＲＬＣ            無線リンク制御  
ＲＲＣ            無線リソース制御  
ＳＡＰ            サービスアクセスポイント  
ＳＤＵ            サービスデータユニット  
ＳＨＣＣＨ        共有チャネル制御チャネル  
ＳＮ              シーケンス番号  
ＳＵＦＩ          スーパーフィールド  
ＴＣＨ            トラフィックチャネル  
ＴＤＤ            時分割双方向  
ＴＦＩ            転送フォーマットインジケータ  
ＴＭ              透過モード  
ＴＭＤ            透過モードデータ  
ＴＴＩ            送信時間インターバル  
Ｕ−              ユーザ
ＵＥ              ユーザ機器  
ＵＬ              アップリンク  
ＵＭ              否定モード  
ＵＭＤ            否定モードデータ  
ＵＭＴＳ          ユニバーサルモバイルテレコミュニケーションシステム  
ＵＴＲＡ          ＵＭＴＳ地上波無線アクセス  
ＵＴＲＡＮ        ＵＭＴＳ地上波無線アクセスネットワーク  
ＭＢＳＦＮ        マルチキャストブロードキャスト単一周波数ネットワーク  
ＭＣＥ            ＭＢＭＳ協調エンティティ  
ＭＣＨ            マルチキャストチャネル  
ＤＬ−ＳＣＨ      ダウンリンク共有チャネル  
ＭＳＣＨ          ＭＢＭＳ制御チャネル  
ＰＤＣＣＨ        物理ダウンリンク制御チャネル  
ＰＤＳＣＨ        物理ダウンリンク共有チャネル  
上記用語および略語が本明細書において使用されうる。
【００４６】
ＭＩＭＯシステムは、データ送信のために、複数（ＮＴ個）の送信アンテナと、複数（ＮＲ個）の受信アンテナを用いる。ＮＴ個の送信アンテナおよびＮＲ個の受信アンテナによって形成されるＭＩＭＯチャネルは、空間チャネルとも呼ばれるＮＳ個の独立チャネルに分解されうる。線形受信機が利用される場合の最大空間多重送信ＮＳは、ｍｉｎ（ＮＴ，ＮＲ）であり、ＮＳ個の個別チャネルの各々が１つの次元に対応する。これは、空間効率性のＮＳ増加を提供しうる。ＭＩＭＯシステムは、複数の送信アンテナと受信アンテナによって形成される次元性がさらに利用されると、向上した性能（例えば、より高いスループットおよび／またはより高い信頼性）を提供することができる。空間次元は、ランクという観点から記述されうる。
【００４７】
ＭＩＭＯシステムは、時分割複信（ＴＤＤ）および周波数分割複信（ＦＤＤ）のインプリメンテーションをサポートする。ＴＤＤシステムにおいて、順方向および逆方向リンク送信は、相反原理によって、逆方向リンクチャネルから順方向リンクチャネルを推定できるように、同一の周波数領域を使用する。これによって、アクセスポイントは、複数のアンテナがアクセスポイントで利用可能な場合に、順方向リンク上の送信ビームフォーミング利得を抽出することができる。
【００４８】
システム設計は、ビームフォーミングおよび別の機能を容易にするために、ダウンリンクおよびアップリンクに対して、様々な時間／周波数基準信号をサポートしうる。基準信号は、既知のデータに基づいて生成される信号であり、それは、パイロット、プリアンブル、トレーニング信号、サウンディング信号（sounding signal）などとも呼ばれうる。基準信号は、チャネル推定、コヒーレント復調、チャネル品質測定、信号強度測定など、様々な目的のために、受信機によって使用されうる。複数のアンテナを使用するＭＩＭＯシステムは、一般的に、アンテナ間での基準信号の送信の協調を提供するが、ＬＴＥシステムは、一般的に、複数の基地局またはｅＮＢからの基準信号の送信の協調を提供しない。
【００４９】
３ＧＰＰ仕様３６２１１−９００は、セクション５．５において、ＰＵＳＣＨまたはＰＵＣＣＨの送信と関連付けられた、復調用の特定の基準信号、並びに、ＰＵＳＣＨまたはＰＵＣＣＨの送信と関連付けられていないサウンディングを定義する。例えば、表１は、ダウンリンクおよびアップリンク上で送信されうる、ＬＴＥインプリメンテーションについてのいくつかの基準信号をリストし、各基準信号についての簡単な説明を提供する。セル固有基準信号は、共通パイロット、ブロードバンドパイロットなどとも呼ばれうる。ＵＥ固有基準信号は、専用基準信号とも呼ばれうる。
【表１】
0005519014.tif 000002
【００５０】
いくつかのインプリメンテーションにおいて、システムは、時分割複信（ＴＤＤ）を利用しうる。ＴＤＤについて、ダウンリンクおよびアップリンクは、同一の周波数スペクトルまたはチャネルを共有し、ダウンリンクおよびアップリンク送信は、同一の周波数スペクトル上で送られる。よって、ダウンリンクチャネル応答は、アップリンクチャネル応答と相関しうる。相反原理は、アップリンクを介して送られた送信に基づいて、ダウンリンクチャネルが推定されることを可能にする。これらのアップリンク送信は、基準信号またはアップリンク制御チャネル（復調後に基準シンボルとして使用されうる）でありうる。アップリンク送信は、複数のアンテナを介して空間選択チャネルの推定を可能にする。
【００５１】
ＬＴＥインプリメンテーションにおいて、直交周波数分割多重送信は、ダウンリンク、すなわち、基地局、アクセスポイント、または、ｅＮＢから、端末またはＵＥに使用されるＯＦＤＭの使用は、スペクトル柔軟性についてのＬＴＥ要件を満たし、高ピークレートで、極めて広いキャリアに対してコスト効率の良い解法を可能する。さらに、それは、安定したテクノロジであり、例えば、ＯＦＤＭＡは、ＩＥＥＥ ８０２．１１ａ／ｇ、８０２．１６．ハイパーラン−２、ＤＶＢ、ＤＡＢなどの規格で使用される。
【００５２】
時間周波数物理リソースブロック（本明細書において、簡潔さために、リソースブロックまたは「ＲＢ」としても表される）は、転送データに割り当てられる転送キャリア（サブキャリア）またはインターバルのグループとしてＯＦＤＭシステムで定義されうる。ＲＢは、ある時間および周波数の期間にわたって定義される。リソースブロックは、１つのスロットにおいて時間および周波数のインデックスによって定義されうる時間／周波数リソースエレメント（本明細書において、簡潔さのために、リソースエレメントまたは「ＲＥ」としても表される）から構成される。ＬＴＥのＲＢおよびＲＥのさらなる詳細は、３ＧＰＰ ＴＳ ３６．２１１に記述されている。
【００５３】
ＵＭＴＳ ＬＴＥは、２０ＭＨｚから１．４ＭＨｚまでのスケーラブルなキャリア帯域幅をサポートする。ＬＴＥにおいて、ＲＢは、サブキャリア帯域幅が１５ｋＨｚの場合に１２個のサブキャリアとして、または、サブキャリア帯域幅が７．５ｋＨｚの場合に２４個のサブキャリアとして定義される。例示的なインプリメンテーションにおいて、時間ドメインでは、各々が１ｍｓの１０個のサブフレームから構成された、１０ｍｓの長さの定義済み無線フレームが存在する。全てのサブフレームは、２スロットで構成され、各スロットは０．５ｍｓである。周波数ドメインにおけるサブキャリアの間隔は、この場合、１５ｋＨｚである。１２個のこれらのサブキャリアが、共にＲＢを構成するため（スロットごとに）、このインプリメンテーションにおいて、１つのリソースブロックは１８０ｋＨｚである。６個のリソースブロックは、１．４ＭＨｚのキャリアに収まり、１００個のリソースブロックは、２０ＭＨｚのキャリアに収まる。
【００５４】
ダウンリンクでは、上に記述されたように、典型的に、多数の物理チャネルが存在する。特に、ＰＤＣＣＨは制御を送るため、ＰＨＩＣＨはＡＣＫ／ＮＡＣＫを送るため、ＰＣＦＩＣＨは制御シンボルの数を特定するため、物理ダウンリンク共有チャネル（ＰＤＳＣＨ）はデータ送信のため、物理マルチキャストチャネル（ＰＭＣＨ）は単一周波数ネットワークを使用して送信をブロードキャストするため、物理ブロードキャストチャネル（ＰＢＣＨ）はセル内で重要なシステム情報を送るために使用される。ＬＴＥのＰＤＳＣＨ上でサポートされる変調フォーマットは、ＱＰＳＫ、１６ＱＡＭ、６４ＱＡＭである。
【００５５】
アップリンクでは、典型的に、３つの物理チャネルが存在する。物理ランダムアクセスチャネル（ＰＲＡＣＨ）は、初期アクセスにのみ使用され、ＵＥがアップリンク同期されない場合、データは、物理アップリンク共有チャネル（ＰＵＳＣＨ）上で送られる。ＵＥに対してアップリンク上で送信されるべきデータがない場合、制御情報が、物理アップリンク制御チャネル（ＰＵＣＣＨ）上で送信されるであろう。アップリンクデータチャネル上でサポートされる変調フォーマットは、ＱＰＳＫ、１６ＱＡＭ、６４ＱＡＭである。
【００５６】
バーチャルＭＩＭＯ／空間分割多元接続（ＳＤＭＡ）が導入されると、アップリンク方向のデータレートは、基地局のアンテナ数に依存して増加しうる。このテクノロジを用いると、１つよりも多くの数のモバイルが同じリソースを再利用することができる。ＭＩＭＯ動作について、一人のユーザのデータスループットを高めるためのシングルユーザＭＩＭＯと、セルスループットを高めるためのマルチユーザＭＩＭＯとが区別される。
【００５７】
３ＧＰＰ ＬＴＥにおいて、モバイル局またはデバイスは、「ユーザデバイス」または「ユーザ機器（ＵＥ）」と呼ばれうる。基地局は、発展型ノードＢまたはｅＮＢと呼ばれうる。半自律基地局は、ホームｅＮＢまたはＨｅＮＢと呼ばれうる。このように、ＨｅＮＢは、ｅＮＢの１つの例である。ＨｅＮＢ、および／または、１つのＨｅＮＢのカバレッジエリアは、フェムトセル、ＨｅＮＢセル、またはクローズド加入者グループ（ＣＳＧ）セル（アクセスが制限されている）と呼ばれうる。
【００５８】
ＬＴＥシステムのようなワイヤレス通信システムのアクセス端末（ＡＴ）またはユーザ機器（ＵＥ）によって行われる１つの機能は、隣接または近隣セルに存在しうる周囲の送信機についての干渉およびパスロスの決定に関係する。これらの決定は、ネットワーク基地局を識別し、ハンドオフ決定を実行し、ネットワークセル間または別のネットワーク間の干渉を管理する際に、あるいは、ＩＣＩＣ機能に用いられうる。様々な条件（例えば、現在のネットワーク負荷、普及しているワイヤレス条件、チャネル品質、１または複数のワイヤレスリンク上のパスロスなど）に依存して、近隣セルおよび関連基地局への干渉を緩和する方法で、特定のリソースおよび／または特定の送信電力でＵＥ送信をスケジュールすることが望まれうる。スケジューリングを制御するために、無線経由（ＯＴＡ）負荷インジケーションシグナリングを、隣接または近隣セル内のＵＥ、または、別のワイヤレスノードに提供することが望まれうる。ＵＥは、この情報および／または追加情報を使用して、ｅＮＢなどのサービング基地局に報告されうる送信電力メトリックを決定しうる。加えて、様々な態様において、ワイヤレス通信のために、ＩｏＴを最小化し、データスループットを最大化することが望まれうる。
【００５９】
前述および関連する目的を達成するために、１または複数の態様は、下に十分に記述され、特許請求の範囲において特に指摘される特徴を備える。次の記述および添付の図は、１または複数の態様の特定の例示的な態様を詳細に示す。しかし、これらの態様は、様々な態様の原理が用いられ、記述される態様が全てのそのような態様およびそれらの均等物を包含することを意図される様々な方法のうちのほんの一部を示す。結果として、本明細書の教示が様々な形で組み込まれること、および、本明細書に開示されている任意の特定の構造、機能、または両方が単に代表的なものであることは明白であるべきである。本明細書の教示に基づいて、当業者は、本明細書に開示される態様が、任意の別の態様とは独立して実現されること、および、これらの態様の２つ以上が様々な方法で組み合わされることを認識するべきである。例えば、本明細書に示される任意の数の態様を使用して、装置が実現され、方法が実施される。加えて、本明細書に示される態様の１または複数の態様に加えて、または除いて、別の構造、機能性、または構造と機能性を使用して、このような装置が実現され、このような方法が実施されうる。さらに、態様は、特許請求の範囲のうちの少なくとも１つのエレメントを備える。
【００６０】
図１は、ＬＴＥシステムのような、例示的な多元接続ワイヤレス通信システムの詳細な態様を示す。発展型ノードＢ（ｅＮＢ）１００（アクセスポイントまたはＡＰとも表されうる）は、１つは１０４と１０６とを含み、別の１つは１０８と１１０とを含み、さらに別の１つは１１２と１１４とを含む複数のアンテナグループを含む。図１では、各アンテナグループに対して２つのアンテナだけが示されるが、各アンテナグループに対して、より多くの数のアンテナまたはより少ない数のアンテナが利用されうる。ユーザ機器（ＵＥ）１１６（アクセス端末またはＡＴとしても知られている）は、アンテナ１１２および１１４と通信状態にある。この場合、アンテナ１１２および１１４は、順方向リンク（ダウンリンクとしても知られている）１２０を通してＵＥ １１６に情報を送信し、逆方向リンク（アップリンクとしても知られている）１１８を通してＵＥ １１６から情報を受信する。第２のＵＥ １２２は、アンテナ１０６および１０８と通信状態にある。この場合、アンテナ１０６および１０８は、順方向リンク１２６を通してＵＥ １２２に情報を送信し、逆方向リンク１２４を通してアクセス端末１２２から情報を受信する。周波数分割双方向（ＦＤＤ）システムにおいて、通信リンク１１８、１２０、１２４、１２６は、通信のために異なる周波数を使用しうる。例えば、順方向リンク１２０は、逆方向リンク１１８によって使用された周波数とは異なる周波数を使用しうる。時分割双方向（ＴＤＤ）システムにおいて、ダウンリンクおよびアップリンクは共有されうる。
【００６１】
各アンテナグループ、および／または、それらが通信するように設計されたエリアは、ｅＮＢのセクタと呼ばれることが多い。アンテナグループは、各々、ｅＮＢ １００によってカバーされるエリアのセクタ内のＵＥに通信するように設計される。順方向リンク１２０および１２６を通る通信では、ｅＮＢ ４００の送信アンテナは、異なるＵＥ １１６および１２４に対して順方向リンクの信号対ノイズ比を改善するためにビームフォーミングを利用しうる。さらに、ビームフォーミングを利用してカバレッジ全体にランダムに分散したＵＥに送信するｅＮＢが近隣セルのＵＥに及ぼす干渉は、単一のアンテナを通して全てのＵＥに送信するｅＮＢよりも少ない。ｅＮＢは、ＵＥとの通信に使用される固定局であり、アクセスポイント、ノードＢ、あるいは、ある別の同等の用語でも呼ばれうる。ＵＥは、アクセス端末、ＡＴ、ユーザ機器、ワイヤレス通信デバイス、端末、あるいは、ある別の同等の用語でも呼ばれうる。
【００６２】
図２は、ＬＴＥシステムのような、例示的な多元接続ワイヤレス通信システム２００の詳細な態様を示す。多元接続ワイヤレス通信システム２００は、近隣または隣接でありうるセル２０２、２０４、２０６を含む複数のセルを含む。１つの態様において、セル２０２、２０４、２０６のうちの１または複数は、複数のセクタを含むｅＮＢを含みうる。複数のセクタは、図１に関して前述されたように、各アンテナが、セルの一部においてＵＥとの通信に対して責任を持つアンテナグループによって形成されうる。例えば、セル２０２において、アンテナグループ２１２、２１４、２１６は、各々、異なるセクタに対応しうる。セル２０４において、アンテナグループ２１８、２２０、２２２は、各々、異なるセクタに対応する。セル２０６において、アンテナグループ２２４、２２６、２２８は、各々、異なるセクタに対応する。セル２０２、２０４、２０６は、例えば、ユーザ機器（ＵＥ）など、セル２０２、２０４、または２０６の各々の１または複数のセクタと通信するいくつかのワイヤレス通信デバイスを含みうる。例えば、ＵＥ ２３０および２３２は、ｅＮＢ ２４２と通信状態にあり、ＵＥ ２３４および２３６は、ｅＮＢ ２４４と通信状態にあり、ＵＥ ２３８および２４０は、ｅＮＢ ２４６と通信状態にありうる。ＵＥは、隣接セルおよび関連ｅＮＢから信号を受信することができる。例えば、ＵＥ ２３４は、サービングノードｅＮＢ ２４４と関連付けられるが、ＵＥ ２３４は、対応ｅＮＢ ２４２および２４６から、隣接セル２０２および２０６からの信号を受信することもできる。これらの信号は、下にさらに記述されるように、負荷インジケーションシグナリングを含みうる。
【００６３】
特定の分散機能と処理は、いくつかのインプリメンテーションにおいて、図２に示されたようなｅＮＢ間での直接的な通信または交渉によって行われうる。図３は、例示的なｅＮＢと別のｅＮＢとの相互接続の詳細を示すネットワーク３００の実施形態の詳細を示す。ネットワーク３００は、マクロｅＮＢ ３０２と、ピコセルまたはフェムトセルのｅＮＢ ３１０でありうる複数の追加ｅＮＢとを含む。ネットワーク３００は、スケーラビリティの理由から、ＨｅＮＢゲートウェイ３３４を含みうる。マクロｅＮＢ ３０２およびゲートウェイ３３４は、各々、モビリティ管理エンティティ（ＭＭＥ）３４２のプール３４０、および／または、サービングゲートウェイ（ＳＧＷ）３４６のプール３４４で通信しうる。ｅＮＢゲートウェイ３３４は、専用Ｓ１接続３３６用のＣプレーンおよびＵプレーン中継器として現れうる。Ｓ１接続３３６は、ＥＰＣ（evolved packet core）とＥＵＴＲＡＮ（Evolved Universal Terrestrial Access Network）との間の境界として指定された論理インターフェースでありうる。そういうものとして、これは、さらに別のネットワークに結合されうるコアネットワーク（図示されない）へのインターフェースを提供する。ｅＮＢゲートウェイ３３４は、ＥＰＣの観点から、マクロｅＮＢ ３０２として機能しうる。Ｃプレーンインターフェースは、Ｓ１−ＭＭＥであり、ＵプレーンインターフェースはＳ１−Ｕでありうる。
【００６４】
ｅＮＢゲートウェイ３３４は、単一のＥＰＣノードとして、ｅＮＢ ３１０に働きかけうる。ｅＮＢゲートウェイ３３４は、ｅＮＢ ３１０に対して、Ｓ１−ｆｌｅｘ接続性を確実にしうる。ｅＮＢゲートウェイ３３４は、単一のｅＮＢ ３１０がｎ個のＭＭＥ ３４２と通信できるように、１：ｎの中継器機能性を提供しうる。ｅＮＢゲートウェイ３３４は、Ｓ１セットアップ手順を介して実施されると、ＭＭＥ ３４２のプール３４０に登録する。ｅＮＢゲートウェイ３３４は、ｅＮＢ ３１０とのＳ１インターフェース３３６のセットアップをサポートしうる。
【００６５】
ネットワーク３００は、自己組織化ネットワーク（ＳＯＮ）サーバ３３８も含みうる。ＳＯＮサーバ３３８は、３ＧＰＰ ＬＴＥネットワークの自動最適化を提供しうる。ＳＯＮサーバ３３８は、ワイヤレス通信システム３００にとって、動作および管理（Ｏ＆Ｍ）を改善するためのキードライバでありうる。Ｘ２リンク３２０は、マクロｅＮＢ ３０２とｅＮＢゲートウェイ３３４との間に存在しうる。Ｘ２リンク３２０は、共通ｅＮＢゲートウェイ３３４に接続されたｅＮＢ ３１０の各々の間にも存在しうる。Ｘ２リンク３２０は、ＳＯＮサーバ３３８からの入力に基づいてセットアップされうる。Ｘ２リンク３２０は、ＩＣＩＣ情報を伝達しうる。Ｘ２リンク３２０の確立が不可能な場合、Ｓ１リンク３３６が使用され、ＩＣＩＣ情報を伝達しうる。バックホールシグナリングは、通信システム３００において、マクロｅＮＢ ３０２とｅＮＢ ３１０との間で、本明細書においてさらに記述されるような様々な機能性を管理するために使用されうる。例えば、これらの接続は、サブフレーム割付協調およびスケジューリングを容易にするために、引き続き本明細書においてさらに記述されるように使用されうる。
【００６６】
図４は、本開示の態様に従って、セル間干渉協調を提供するように構成されたワイヤレス通信システム４００の例示的な実施形態の詳細を示す。システム４００は、アップリンクおよびダウンリンク接続を含みうるワイヤレスリンク４１８を介してサービングｅＮＢ（または、基地局あるいは同様のワイヤレスネットワークノード）４０４と通信状態にあるＵＥ（または、アクセス端末）４０２を含む。ｅＮＢ ４０４は、サービングセル４１０と関連付けられうる。加えて、ＵＥ ４０２は、ｅＮＢ ４２４および４３４がそれぞれサービスを提供しうる２つ（または、それよりも多くの数）の隣接または近隣セル４２０および４３０のワイヤレス範囲内に存在しうる。セルからセルへの通信は、セル４１０と４２０との間、および、関連ｅＮＢ ４０４と４２４との間に示されるようなＸ２接続４６０などのセル間リンクを介して行われうる。セル間の別のＸ２接続（図示されない）も構成されうる。
【００６７】
ＵＥ ４０２は、接続４１８のダウンリンクコンポーネントを介してセル間干渉協調を促進するために、サービングセルノード４０４からシステムデータを受信し、さらに、接続モードに依存して別のデータまたは情報を受信しうる。ＵＥ ４０２は、さらに、下にさらに記述されるように、セル間干渉協調を促進するために、アップリンクコンポーネント接続４１８を介してデータをノード４０４に送りうる。システムデータは、近隣セル４２０、４３０のうちの１または複数のセルについての受信機感度情報、集約受信機感度データ（例えば、平均受信機感度）、および／または、特定のデータが利用できない場合の公称感度データを含みうる。加えて、システムデータは、それぞれの近隣セル４２０および４３０のノード（例えば、ノード４２４および４３４）、および／または、図示されない別のセルおよび関連ノードの送信電力を含みうる。
【００６８】
システムデータは、近隣セル４２０および４３０（または、図示されない別のセル）との干渉の緩和を容易にするために使用されるべき適切な送信電力メトリックを決定するために、モジュールとしてＵＥ ４０２に組み込まれうる送信電力装置４０６によって用いられうる。送信電力メトリックは、受信機感度データ、および／または、本明細書にさらに記述されるような別のデータに少なくとも部分的に基づきうる。加えて、送信電力メトリックは、それぞれの近隣セル４２０および４３０（および／または、図示されない別のセル）によって観察されるネットワーク干渉の測定値に少なくとも部分的に基づきうる。例えば、ダウンリンク信号は、ＵＥ ４０２において、信号経路４２８から受信され、それは、信号に基づいて送信電力メトリックデータを生成するために使用されうる。そのうえ、ダウンリンク信号４３８は、セル４３０のｅＮＢ ４３４から受信され、それは、同様に、送信メトリックデータを生成するために、単独で、あるいは、ｅＮＢ ４２４からの信号と共に使用されうる。
【００６９】
加えて、送信電力メトリックは、パスロス、または、本明細書においてさらに記述されるような別の情報のようなワイヤレス条件に基づきうる。
【００７０】
図５は、送信電力装置４０６の例示的な実施形態の詳細を示す。電力装置４０６は、独立型プロセッサ、および／または、ＵＥ ４０２の処理エレメントでありうるデータプロセッサエレメント４１２を含みうる。装置４０６は、さらに、ｅＮＢ ４０４のようなサービング基地局、並びに、隣接基地局４２４および４３４のような別の基地局から信号を受信するように構成された受信機モジュール４０９を含みうる。プロセッサ４１２は、ＵＥ ４０２が、例えば、非アクティブ状態からウェイクアップする場合に、送信電力装置４０６をアクティブ化するように構成されうる。この場合、送信電力装置４０６は、アクティブ化または新しいセルへの移行を受けて、負荷インジケータ情報、および／または、システムデータまたは情報を分析しうる。
【００７１】
別の態様において、不連続受信（ＤＲＸ）手順は、データプロセッサが、アクティブ受信状態の間に送信電力装置４０６をアクティブ化するように、変更されうる。あるいは、適切な動作イベントまたは条件に基づいて、前述の態様の変形、並びに、別のアクティブ化手順が使用されうる。
【００７２】
システムデータは、プロセッサ４１２によって解析され、解析されたデータは、メモリ４０７に記憶されうる。受信機感度モジュール４１４は、近隣セル４０４Ａおよび４０４Ｂそれぞれについての受信機感度データ、および／または、集約／公称データを識別するために含まれうる。感度データは、ＵＥ ４０２つていの送信電力メトリックを決定する際に感度データを用いる計算モジュール４１６に転送されうる。加えて、計算モジュール４１６は、送信電力メトリック決定のための負荷インジケータ（ＬＩ）信号、および／または、それぞれの近隣セル４０４Ａおよび４０４Ｂによって提供される関連データ、並びに、送信電力メトリック決定のためのパスロスデータを用いうる。
【００７３】
１つの特定の例として、計算モジュール４１６は、送信電力メトリックを生成するために次の形の処理方法を用いうる。
【００７４】
例えば、Ｋ個の近隣セルが存在すると想定した場合、各近隣セルについて、各サブフレームｉの（各報告サブ帯域の）リソースブロックごとに最大電力（ＰＲＢｍａｘ）の計算が行われうる。例えば、各隣接セルのＰＲＢｍａｘは、次のように計算されうる：  
ＰＲＢｍａｘ（ｉ，ｋ）＝ＰｏＰＵＳＣＨｉｎｔ（ｋ）＋ＰＬ（ｉ，ｋ）＋ｆ（ｉ，ｋ）  
ここで、ＰｏＰＵＳＣＨｉｎｔ（ｋ）は、対応する近隣基地局（ｅＮＢ）における受信機感度値であり、ｋは近隣セルであり、ｉは、サブフレームインデックスであり、ＰＬ（ｉ ｋ）は、近隣ｅＮＢ ｋへの推定パスロスを表すパスロスメトリックであり、ｆ（ｉ，ｋ）は、累積された無線経由（ＯＴＡ）干渉補正であり、それらは、さらに下に記述されるように決定されうる。
【００７５】
１つのインプリメンテーションにおいて、受信機感度ＰｏＰＵＳＣＨｉｎｔ（ｋ）の値は、次のように決定されうる：  
ＰｏＰＵＳＣＨｉｎｔ（ｋ）＝ＰｏＰＵＳＣＨｎｏｍｉｎｔ（ｋ）＋ＰｏＰＵＳＣＨＵＥｉｎｔ  
ここで、ＰｏＰＵＳＣＨｎｏｍｉｎｔ（ｋ）は、セルｋと関連付けられた公称受信機感度であり、ＰｏＰＵＳＣＨＵＥｉｎｔは、ＵＥ固有オフセット値である。
【００７６】
いくつかのインプリメンテーションにおいて、ＰＬ（ｉ，ｋ）および／またはｆ（ｉ，ｋ）は、省略されるか、あるいは、別の類似した、同様の、または追加のパラメータと置き換えられうる。
【００７７】
各近隣セルに対してＰＲＢｍａｘ（ｉ，ｋ）を決定した後、サブフレームごとのＰＲＢｍａｘの値（ＰＲＢｍａｘ（ｉ）)がＵＥで生成されうる。このメトリックは、次のように、全ての近隣または隣接ｅＮＢの中の最小ＰＲＢｍａｘ値に基づきうる、例えば、  
ＰＲＢｍａｘ（ｉ）＝ｍｉｎｋ（ＰＲＢｍａｘ（ｉ，ｋ））  
である。
【００７８】
次に、ＵＥ（例えば、ＵＥ ４０２）は、送信電力メトリックとして、ＰＲＢｍａｘ（ｉ）値を送りうる。
【００７９】
いくつかのインプリメンテーションにおいて、ＰＬ（ｉ，ｋ）および／またはｆ（ｉ，ｋ）は省略されるか、あるいは、別の類似した、同様の、または追加のパラメータと置き換えられうる。例えば、いくつかの実施形態において、公称受信機感度パラメータＰＬ（ｉ，ｋ）は、パスロス誤差の関数でもあり、あるいは、単にパスロス値自体でありうる。
【００８０】
累積されるＯＴＡ干渉補正ｆ（ｉ，ｋ）は、累積補正を表す。１つの実施形態において、それは、図７に示されるような１ビット値の処理に基づいて生成されうる。閾値ターゲットを上回るＯＴＡ負荷インジケータの場合、  
ｆ（ｉ−１）＝ｆｍｉｎの場合に、ｇ（ｉ）＝０であり、  
ｆ（ｉ−１）＝ｆｍａｘの場合に、ｇ（ｉ）＝−δｍａｘ  
である。  
閾値ターゲットを下回るＯＴＡ負荷インジケータの場合、  
ｆ（ｉ−１）＝ｆｍａｘの場合にｇ（ｉ）＝δｍａｘであり、  
ｆ（ｉ−１）＝ｆｍａｘの場合に、ｇ（ｉ）＝０  
である。  
ここで、ｇ（ｉ）は、関数（ｆ（ｉ−１））であり、ｆ（ｉ）＝ｇ（ｊ）のｓｕｍ（ｆｒｏｍ ｊ＝０，ｉ）である。
【００８１】
上の処理について、所与のリソースブロックについての干渉補正ｆ（ｉ）は、現在のワイヤレス条件、および／または、前のサブフレーム「ｉ−１」、および／または、前のサブフレームの組み合わせに基づきうる。加えて、ＯＴＡ負荷インジケータ（物理ブロードキャストチャネル：ＰＢＣＨ）が消去されると、この処理は、ｆ（ｉ−１）においてｇ（ｉ）＞０の場合に負荷インジケータが閾値ターゲットよりも上であると仮定し、ｆ（ｉ−１）においてｇ（ｉ）＜０の場合に負荷インジケータが閾値ターゲットを下回ると仮定し、ｆ（ｉ−１）＝０場合にｇ（ｉ）＝０と設定することができる。ｆ（ｉ−１）とｇ（ｉ）との間の例示的なマッピングは、図７に示され、このマッピングは線形である。しかしながら、指数、二乗検波、または他の電力検波（power law）のような別の機能的関連性、および／または、別の関連性が、様々な実施形態で使用されうる。
【００８２】
加えて、上の例は、１ビットアルゴリズムに基づく処理を記述しているが、いくつかのインプリメンテーションでは、２ビットまたはそれより多くのビットサイズの処理論理が使用されうる。例えば、２ビット処理アルゴリズムが、１ビットアルゴリズム論理の代わりに用いられうる。１つの例示的な２ビット処理アルゴリズムについて、極めて高い負荷、ターゲットを上回る負荷、ターゲットを下回る負荷、極めて低い負荷という４つの状態が提供されうる。
【００８３】
極めて高い負荷状態の場合、前に記述されたＯＴＡ負荷インジケータ処理は、２度行われることができ、それは、潜在的に、ｇ（ｉ）に基づいて２つの干渉オフセット補正をもたらしうる。ターゲットを上回る負荷とターゲットを下回る負荷の状態について、ＯＴＡ負荷インジケータ処理は１度しか行われないため、それは、前に記述された１ビット処理と同じでありうる。
【００８４】
極めて軽い負荷状態の場合、この処理は２度行われ、いくつかのインプリメンテーションでは、ｇ（ｉ）に基づいて２つの干渉オフセット補正（または、それ以上）をもたらしうる。
【００８５】
いずれの場合においても（すなわち、１ビットの場合であっても、２ビットの場合であっても、または、別のビット構成の場合であっても）、結果は、近隣セル「ｋ」に対してサブフレーム「ｉ」のリソースブロックにごとに送信電力メトリックを生成するために、計算モジュール４１２によって使用され、それは結果として、前に記述されたように、最小値メトリックをもたらしうる。
【００８６】
次に、送信電力メトリックは、サービングセル４１０の基地局（例えばｅＮＢ ４０４）に送られうる。次に、基地局／サービングは、ＵＥ ４０２について、アップリンク（ＵＬ）送信ポリシーおよび割付を計算しうる。ポリシーは、送信電力メトリックに基づき、ポリシーおよび割付は、ＵＥ ４０２に転送されうる。受信に応じて、ＵＥ ４０２は、送信ポリシーを実現し、次に、近隣セルからのＬＩ送信の監視を続け、次に、後続のサブフレーム（例えば、サブフレーム「ｉ＋１」）に対する送信電力メトリックを生成しうる。
【００８７】
いくつかのインプリメンテーションにおいて、サービングセル基地局４０４は、図６に示されるような例示的なデータベース４０８の構成を有する、セル間干渉協調に関するデータを記憶するように構成されたデータベース４０８に結合されうる。例えば、受信機感度データは、近隣セル４２０および４３０のワイヤレスネットワークノードをそれぞれの受信機感度データと相関させる第１のデータベースエントリまたはファイルのセット４０８Ａに記憶されうる。さらに、ＵＥ ４０２などのサービングセル４１０からサービス提供されるＵＥによって提示された送信電力データは、ＵＥ送信電力エントリまたはファイル４０８Ｂに記憶されうる。加えて、ＵＬスケジュール、または、基地局４０４によって生成される別の関連データは、ＵＥスケジューリングエントリまたはファイル４０８Ｃに記憶されうる。さらに、それぞれのファイル４０８Ａ、４０８Ｂ、４０８Ｃが、時変感度、送信電力、スケジューリング情報、および／または、別の情報（図６に示されない）を含むために、ある時間にわたって更新されること、あるいは、ある時間にわたってアペンドされることは認識されるべきである。次に、そのようなデータは、時変データを最適化入力として用いうる適応的なセル間干渉協調で用いられうる。
【００８８】
図８は、本開示の態様に従って、負荷インジケータ装置４５０の実施形態の詳細のブロック図を示す。負荷インジケータ装置４５０は、図４のｅＮＢ ４０４のような基地局に結合されるか、あるいは、それに組み込まれうる。
【００８９】
いくつかのインプリメンテーションにおいて、負荷インジケータ装置は、ワイヤレスネットワークの内部のコンポーネントまたはエレメントとして実現されうる。例えば、装置４５０は、地上波無線アクセスネットワークの一部（例えば、ｅＮＢと結合された、基地局コントローラと結合された）であるか、あるいは、その地上波無線アクセスネットワークに結合されたワイヤレスオペレータのコアネットワークの一部（例えば、ネットワークゲートウェイ、または、例えば、図３に示されるもののような別の接続ポイントで）でありうる。
【００９０】
いずれの場合においても、負荷インジケータ装置４５０は、少なくとも基地局とのワイヤードまたはワイヤレスシグナリングのために、通信インターフェース４５２を用いるように構成されうる。いくつかの態様において、通信インターフェース４５２は、例えば、図２および３に示されているように、基地局を、近隣基地局のセットと接続するバックホールネットワークとさらに結合されうる。別の態様において、通信インターフェース４５２は、さらに、近隣基地局のセットを管理する基地局コントローラ（図示されない）と結合されうる。１つの実施形態において、通信インターフェース４５２は、例えば、Ｘ２接続を介して、近隣基地局とワイヤレスに通信するか、あるいは、基地局によってサービス提供される１または複数のユーザ機器（ＵＥ）に通信するために用いられうるワイヤレスインターフェースを含みうる。１つの実施形態において、通信インターフェース４５２は、ワイヤレス基地局またはｅＮＢの送受信チェーン（例えば、図１６に示されており、後に本明細書に記述されるような）を含むか、あるいは、そのような送受信チェーンに結合される。
【００９１】
１つの態様において、通信インターフェース４５２は、受信機感度情報を、近くの基地局のサブセットから獲得するために、負荷インジケータ装置４５０によって用いられうる。例えば、この感度情報は、それぞれの基地局の各受信機において測定され、装置４５０に（例えば、通信インターフェース４５２を介して）提示され、複数の基地局の間で（例えば、バックホールネットワークまたは別の相互接続構造を介して）共有されうる。
【００９２】
別の態様において、感度情報は、負荷インジケータ装置４５０によってそれぞれの基地局に対して生成される公称感度情報でありうる。
【００９３】
受信機感度情報は、メモリ４５６に記憶されうる。この情報は、基地局ごとに記憶されうる。あるいは、または、加えて、感度情報の平均または別の適切な集約がメモリ４５６に記憶されうる。感度データは、分析モジュール４５８によって用いられ、データプロセッサ４５４によって実行され、および／または、データプロセッサ４５４に組み込まれうる。具体的には、分析モジュール４５８は、負荷インジケータ装置４５０によってサービス提供される１または複数のＵＥのワイヤレス範囲内の基地局の識別を試み、範囲内の基地局についての受信機感度情報をそれぞれのＵＥに分散するように構成されうる。
【００９４】
別の態様において、分析モジュール４５６は、集約感度データ（例えば、平均感度データ、基地局固有データが利用でできない場合の公称感度データ、あるいは、別の記憶感度データ）を、負荷インジケータ装置４５０によってサービス提供されているＵＥに送るように構成されうる。いずれの場合においても、感度データは、それぞれの基地局の送信強度（パスロス計算のための）、または、本明細書の他の場所に記載されているような別のパラメータを含む別のシステム情報と共に分散されうる。
【００９５】
分析モジュール４５８は、受信機感度データを伝達するために、負荷情報専用の特定の物理ダウンリンクチャネル（ＰＤＣＨ）を用いうる。オプションとして、物理アップリンクチャネル（ＰＵＣＨ）は、負荷インジケータ装置４５０によってサービス提供されているＵＥによって送信される応答情報のために確立されうる。通信インターフェース４５２は、分析モジュール４５８によって分散されたシステム情報への応答のためのＰＵＣＨを監視するように構成されうる。別の態様において、専用ＰＵＣＨが確立されない場合、ＵＥは、アップリンク制御チャネルまたは別のアップリンクチャネルを用いて、負荷インジケータ装置４５０と結合された基地局に応答を送信しうる。
【００９６】
ＵＥによって提供される応答は、ＵＥによって分析される各近隣基地局に対してリソースブロックごとに決定されうる送信電力メトリック４６０を、複数のセルにわたってリソースブロックごとの最大電力（ＰＲＢｍａｘ）の最小値として含みうる。この処理の例は、本明細書の別の箇所に記述されている。
【００９７】
送信電力メトリックは、送信電力メトリックに少なくとも部分的に基づきうる、ＵＥについてのＵＬ送信スケジュール４６４を生成するように構成されうるスケジューリングモジュール４６２に転送されうる。送信スケジュール４６４は、メモリ４５６に記憶され、図４に示されるように、ＵＥ ４０２などのＵＥに送信されうる。一般的に、ＵＥ送信スケジュール４６４は、基地局のセットの中のセル間干渉の削減を容易にするように構成される。１つの例として、ＵＬ送信スケジュール４６４は、選択されたＵＬリソース上で、ＵＥについての送信電力を特定しうる。オプションとして、ＵＬ送信スケジュール４６４は、ネットワークにおける干渉の緩和のために、特定のリソースをＵＥに割り当てるように構成されうる。いずれの場合においても、ＵＬ送信スケジュール４６４は、ネットワーク干渉を削減するために、複数の近隣または隣接基地局、および、関連セルの間で、セル間干渉協調方法に従って生成されうる。
【００９８】
図４〜８に示される前述のシステムおよびモジュールは、いくつかのコンポーネント、モジュールおよび／または通信インターフェースの間の相互接続に関して記述されているが、そのようなシステムおよびコンポーネント／モジュール／インターフェースが、本明細書において特定されたこれらのコンポーネント／モジュールまたはサブモジュール、特定されたコンポーネント／モジュールまたはサブモジュールのうちのいくつか、および／または、追加のモジュール（図示されない）を含みうることは認識されるべきである。例えば、１つの態様において、システムは、ＵＥ ４０２、サービングセル基地局４０４、データベース４０８、および、負荷インジケータ装置４５０、または、これらのモジュールまたは別のモジュールの異なる組み合わせを含みうる。サブモジュールは、親モジュールに含まれるというよりはむしろ、別のモジュールと通信的に結合されたモジュールとして実現されうる。加えて、１または複数のモジュールが、集約機能性を提供する単一のモジュールへと結合されうることに注意されたい。例えば、分析モジュール４５８は、それぞれのＵＥ送信電力データを分析することと、このデータに基づき、単一コンポーネントを用いて、それぞれのＵＥ ＵＬスケジュールを生成することとを容易にするために、スケジューリングモジュール４６２を含み、あるいはその逆も同様でありうる。コンポーネントは、さらに、本明細書に具体的には記述されていないが、当業者には知られている１または複数の別のコンポーネントと相互接続しうる。
【００９９】
さらに、認識されるように、上で開示されたシステムと下で開示される方法の様々な部分は、人工知能または知識、あるいは、ルールベースのコンポーネント、サブコンポーネント、プロセス、手段、方法、または、メカニズム（例えば、サポートベクトルマシン、ニューラルネットワーク、エキスパートシステム、ベイジアンブリーフネットワーク、ファジィ論理、データフュージョンエンジン、分類器・・・）を含むか、あるいは、それにより構成されうる。このようなコンポーネントは、とりわけ、本明細書において既に記述されたものに加えて、システムおよび方法の一部を、より適応的、並びに、効率的で知的にするために、それによって実行される特定のメカニズムまたはプロセスを自動化することができる。
【０１００】
本明細書において前に記述された例示的なシステムの観点から、開示される主題に従って実現されうる方法は、図９および図１０に関して、より詳しく認識されるであろう。説明を簡単にするために、方法が一連のブロックで示され、記述されるが、いくつかのブロックは、本明細書に描写および記述されているものとは異なる順序で、および／または、別のブロックと同時に発生するため、請求される主題がブロックの順序によって限定されないことは理解および認識されるべきである。さらに、本明細書に記述された方法を実現するために、記述された全てのブロックが要求されるわけではない。加えて、これ以降または本明細書全体に開示される方法が、コンピュータへのそのような方法の移送および転送を容易にするために、製品（article of manufacture）に記憶されうることをさらに認識されるべきである。製品（article of manufacture）という用語は、使用される場合、コンピュータ可読デバイス、キャリアと関連するデバイス、または、記憶媒体からアクセス可能なコンピュータプログラムを包含することが企図される。
【０１０１】
図９は、開示される態様に従ってＯＴＡベースの負荷および干渉協調に関連するプロセス９００の例示的な実施形態のフローチャートを示す。ステージ９０２において、ワイヤレス受信機が用いられ、隣接または近隣セル内のｅＮＢのような近隣基地局のセットと関連付けられた受信機感度情報および／または負荷インジケータ情報を獲得しうる。この情報は、ＵＥのようなネットワークノードで獲得されうる。ステージ９０４において、データプロセッサが用いられ、本明細書の他の場所に記述されるように、それぞれのｅＮＢのリソースブロックごとの最大送信電力のような送信電力メトリックを計算しうる。ステージ９０６において、ワイヤレス送信機が用いられ、計算された送信電力を、例えば、ＵＥからサービングｅＮＢに転送しうる。さらに、ステージ５０８において、送信スケジュールが獲得されうる。この場合、スケジュールは、本明細書において前に記述されたように、セル間干渉協調メカニズムの送信電力メトリックおよび干渉負荷要求に少なくとも部分的に基づきうるアップリンクチャネル割付または割当を含みうる。
【０１０２】
図１０は、１または複数の態様に従って、ＯＴＡ電力決定および負荷協調に基づいてリソーススケジューリングを提供するプロセス１０００の例示的な実施形態のフローチャートを示す。ステージ１００２において、通信インターフェースが用いられ、１または複数の近隣ｅＮＢに関する受信機感度情報を獲得しうる。ステージ１００４において、送信機が用いられ、システムデータと共に受信機感度情報を、ＵＥのような、少なくとも１つのサービス提供されるネットワークノードに転送しうる。システムデータは、さらに、近隣ｅＮＢと関連付けられた送信電力情報を含みうる。別の態様において、近隣ｅＮＢの送信電力は、サービングｅＮＢの送信電力と等しく設定されうる。ステージ１００６において、ワイヤレス受信機が用いられ、システムデータに部分的に基づきうる計算された送信電力メトリックをＵＥから獲得しうる。さらに、ステージ１００８において、データプロセッサが用いられ、送信電力および／または干渉負荷要求および／または別のパラメータに基づきうる、ＵＥについての送信スケジュールを生成しうる。
【０１０３】
図１１は、様々な態様に従って、セル間干渉協調についての送信電力メトリックを提供するプロセス１１００の例示的な実施形態のフローチャートを示す。プロセス１１００は、１または複数の無線経由（ＯＴＡ）負荷インジケータ信号（ＬＩ）が、ＵＥにおいて、受信されるステージ１１００で開始しうる。ＬＩ信号は、例えば、隣接セル内のｅＮＢまたは別の基地局から、１または複数の隣接セルによって提供されうる。ステージ１１２０において、送信電力メトリックは、本明細書において前に記述されたように、決定されうる。メトリックは、ＬＩ信号に基づき、および／または、受信機感度、パスロス、あるいは他のデータまたは情報のような別のパラメータにさらに基づきうる。メトリックは、隣接セルの各々に対して決定される最大送信電力レベルの最小値に基づくか、あるいは、隣接セルの別の機能に基づきうるか、あるいは、隣接セルから受信される情報の混合でありうる。ステージ１１３０において、送信電力メトリックは、セルと関連付けられたｅＮＢのようなサービングネットワーク基地局に送られうる。基地局での受信に応じて、送信電力メトリックが使用され、例えば、ＵＥまたは別のネットワークノードからのスケジューリングアップリンク送信についてのスケジューリングを決定しうる。
【０１０４】
図１２は、様々な態様に従って、送信電力メトリックを生成するプロセス１２００の例示的な実施形態のフローチャートを示す。ステージ１２１０において、複数の最大電力メトリックのうちのいくつかが決定されうる。これは、複数の隣接または近隣セルから受信されるＯＴＡ ＬＩシグナリングに基づいてＵＥにおいて行われうる。ステージ１２２０において、送信電力メトリックが、本明細書において前に記述されたように、生成されうる。送信電力メトリックは、隣接または近隣の局から受信されるＬＩ信号の関数でありうる。送信電力メトリックは、さらに、受信機感度値および／またはパスロス値および／または、ＵＥオフセットメトリックなど、別の関連パラメータに基づきうる。生成することは、さらに、累積ＯＴＡ補正に対する補正を含みうる。ステージ１２３０において、送信電力メトリックは、図１６に示されるような、ＵＥのメモリエレメントでありうるメモリに記憶されうる。加えて、送信電力メトリックは、ＵＥアップリンクスケジューリングおよび割付のような機能を提供する際にさらに使用するために、関連ｅＮＢのようなサービング基地局に送られうる。
【０１０５】
図１３は、様々な態様に従って、アップリンク（ＵＬ）スケジューリングを生成するプロセス１３００の例示的な実施形態のフローチャートを示す。ステージ１３１０において、送信電力メトリックは、例えば、ｅＮＢのようなセル基地局において、受信されうる。送信電力メトリックは、ＵＥのような、サービス提供される端末から受信されうる。ステージ１３２０において、スケジュールが生成されうる。スケジュールは、送信電力メトリックに部分的に基づきうる。スケジュールは、基地局に提供される別のデータまたは情報に基づきうる。ステージ１３３０において、アップリンクチャネル割当、電力レベル、あるいは、別のアップリンク関連シグナリングデータまたは情報を含みうるスケジューリング情報は、サービス提供されるＵＥに提供されうる。次に、ＵＥは、セル間干渉の緩和を容易にするために、スケジュールに従って、アップリンク送信を提供しうる。
【０１０６】
図１４は、様々な態様に従って、負荷インジケーションシグナリングを提供するプロセス１４００の例示的な実施形態のフローチャートを示す。ステージ１４１０において、負荷インジケーション信号（ＬＩ）が、生成されうる。これは、基地局またはｅＮＢのようなネットワークノードにおいて行われ、さらに、ＯＴＡ負荷（または、過剰負荷）情報を、隣接または近隣セルと関連付けられたＵＥのような、隣接セルのノードに提供するように構成されうる。ステージ１４２０において、ＬＩ信号が送信されうる。送信は、共有されうる特定のダウンリンクチャネル構成に基づきうるか、あるいは、ＯＴＡ ＬＩシグナリング専用でありうる。加えて、基地局は、情報を、隣接ｅＮＢのような隣接セルのノードに提供しうる。情報は、受信機感度、パスロス、あるいは、別のデータまたは情報に関連しうる。
【０１０７】
図１５は、セル間干渉協調を容易にするために提供されうるシステム情報の例を示す。特に、１５１０は、ＳＩＢ ２として表示されうるシステム情報ブロック（ＳＩＢ）の例示的な実施形態を示し、さらに、ｅＮＢのようなセル基地局から送信されうる。ＳＩＢ ２は、情報エレメント（ＩＥ）１５１２、１５１４、１５１６、１５１８を含みうる。ＩＥ １５１２は、レガシＳＩＢ ２情報を含む。ＩＥ １５１４は、本明細書において前に記述された送信電力メトリック決定に従って、ＰＲＢｍａｘサブ帯域報告構成でありうるサブ帯域報告構成のような情報を含む。ＩＥ １５１６は、ＯＴＡ干渉補正値を含み、さらに、構成された各サブ帯域に対する範囲を含みうる。ＩＥ １５１８は、本明細書において前に記述されたように決定または提供されうる、近隣ｅＮＢについてのデフォルトの公称受信機感度のような受信機感度情報を含みうる。
【０１０８】
ＳＩＢ １５２０は、ＩＥ １５２２、１５２４、１５２６、１５２８を含むＳＩＢ ３として表されるＳＩＢの例示的な構成を示す。ＳＩＢ １５１０と同様に、ＳＩＢ １５２０は、レガシＳＩＢ情報（この場合、ＩＥ １５２２としてのＳＩＢ ２情報）を、近隣セル／ｅＮＢの送信電力に関連したデータを含みうるＩＥ １５２４と共に含む。ＩＥ １５２６は、近隣セル／ｅＮＢのＯＴＡ Ｌ１サブ帯域構成と関連する情報を含む。ＩＥ １５２８は、近隣セル／ｅＮＢの受信機感度と関連付けられた情報を含む。
【０１０９】
ブロック１５３０は、ＳＲＢ １として表される、シグナリング無線ベアラ（ＳＲＢ）の例示的な構成を示す。ＳＲＢ １は、レガシ情報１５３２を含み、さらに、近隣ｅＮＢの受信機感度についてのＵＥオフセットに関連するデータまたは情報１５３４を含みうる。
【０１１０】
図１６は、ＬＴＥ通信システムでありうる通信システム１６００の基地局１６１０（すなわち、ｅＮＢまたはＨｅＮＢ）および端末１６５０（すなわち、端末、ＡＴ、またはＵＥ）の例示的な実施形態のブロック図を示す。これらのシステムは、図１〜４など、本明細書の別の場所に示されるシステムに対応し、図９〜１４について本明細書において前に示されたプロセスを実現するように構成されうる。
【０１１１】
送信信号メトリックの受信およびＵＥスケジューリングの決定、並びに、前に本明細書に記述された他の機能など、様々な機能が、基地局１６１０に示されるようなプロセッサおよびメモリ（および／または、示されない他のコンポーネント）で行われうる。ＵＥ １６５０は、チャンネル特性、あるいは、負荷インジケータ信号と他のシステムデータの受信および処理のような他の情報を決定し、対応する送信電力メトリック、あるいは、電力レベル情報のような別のデータまたは情報、および／または、基地局１６１０、あるいは、隣接または近隣セルの基地局（図１６に示されない）のような、別の基地局と関連付けられた別の情報を生成するために、基地局１６１０から信号を受信する１または複数のモジュールを含みうる。
【０１１２】
１つの実施形態において、基地局１６１０は、ＵＥ １６５０、あるいは、前に本明細書に記述されたような、別の基地局またはコアネットワーク（図１６に示されない）からのバックホールシグナリングから受信される送信電力メトリックに基づいて、スケジューリング情報を生成しうる。これは、プロセッサ１６１４および１６３０、並びにメモリ１６３２など、基地局１６１０の１または複数のコンポーネント（あるいは、示されない他のコンポーネント）で行われうる。基地局１６１０は、さらに、送信モジュール１６２４のような、ｅＮＢ １６１０の１または複数のコンポーネント（あるいは、示されない他のコンポーネント）を含む送信モジュールを含みうる。基地局１６１０は、干渉キャンセレーション機能性を提供するために、プロセッサ１６３０および１６４２、復調器モジュール１６４０、およびメモリ１６３２のような１または複数のコンポーネント（あるいは、示されない他のコンポーネント）を含む干渉キャンセレーションモジュールを含みうる。基地局１６１０は、前に本明細書で記述されたようなサブフレーム状態分割機能を行うため、および／または、サブフレーム分割情報に基づいて送信機モジュールを管理するために、プロセッサ１６３０および１６１４、並びに、メモリ１６３２のような、１または複数のコンポーネント（あるいは、示されない他のコンポーネント）を含むサブフレーム分割協調モジュールを含みうる。基地局１６１０は、さらに、受信機機能性を制御するための制御モジュールを含みうる。基地局１６１０は、コアネットワークのバックホールシステムのような他のシステム、または、図２および３で示されたような他のコンポーネントとのネットワーク化を提供するためにネットワーク接続モジュール１６９０を含みうる。
【０１１３】
同様に、ＵＥ １６５０は、受信機１６５４のような、ＵＥ １６５０の１または複数のコンポーネント（あるいは、示されない他のコンポーネント）を含む受信モジュールを含みうる。ＵＥ １６５０は、さらに、プロセッサ１６６０および１６７０、並びに、メモリ１６７２など、ＵＥ １６５０の１または複数のコンポーネント（あるいは、示されない他のコンポーネント）を含む信号情報モジュールを含みうる。１つの実施形態において、ＵＥ １６５０で受信される１または複数の信号が、チャンネル特性、電力情報、空間情報、および／または、基地局１６１０および／または他の基地局（図示されない）のようなｅＮＢに関する別の情報を推定するために処理される。測定は、基地局１６１０によってＵＥ １６５０に気づかれる静的なサブフレームの間に行われうる。メモリ１６３２および１６７２は、本明細書に記述されたようなチャネル測定および情報、電力レベルおよび／または空間情報決定、セルＩＤ選択、セル間協調、干渉キャンセレーション制御、並びに、サブフレーム割付、インタレーシング、および、関連送受信と関係する他の機能と関連付けられたプロセスを実現するために、プロセッサ１６６０、１６７０、１６３８のような１または複数のプロセッサ上での実行用のコンピュータコードを記憶するために使用されうる。
【０１１４】
動作において、基地局１６１０では、多数のデータストリームのトラフィックデータが、データソース１６１２から送信（ＴＸ）データプロセッサ１６１４に提供されうる。ここで、それは処理され、１または複数のＵＥ １６５０に送信されうる。送信データは、インタレーシングされたサブフレーム送信を提供し、および／または、１または複数のＵＥ １６５０において関連信号測定を行うために、本明細書において前に記述されたように制御されうる。
【０１１５】
１つの態様において、各データストリームは、処理され、基地局１６１０のそれぞれの送信機サブシステム（送信機１６２４１−１６２４Ｎｔとして示される）を通して送信される。ＴＸデータプロセッサ１６１４は、各データストリームのトラフィックデータを、そのデータストリームに対して選択された特定の符号化スキームに基づいて、受信、フォーマット、符号化、インターリーブし、符号化データを提供しうる。特に、基地局１６１０は、特定の基準信号および基準信号パターンを決定し、基準信号、および／または、ビームフォーミング情報を含む送信信号を選択されたパターンで提供するように構成されうる。
【０１１６】
各データストリームの符号化データは、ＯＦＤＭ技術を使用して、パイロットデータと共に多重送信されうる。パイロットデータは、典型的に、既知の方法で処理されうる既知のデータパターンであり、チャネル応答を推定するために受信機システムで使用されうる。例えば、パイロットデータは基準信号を含みうる。パイロットデータは、図１６で示されるように、ＴＸデータプロセッサ１６１４に提供され、符号化データと多重送信されうる。次に、各データストリームの多重送信されたパイロットと符号化データは、変調シンボルを提供するために、そのデータストリームに対して選択された特定の変調スキーム（例えば、ＢＰＳＫ、ＱＳＰＫ、Ｍ−ＰＳＫ、Ｍ−ＱＡＭなど）に基づいて、変調（すなわち、シンボルマッピング）され、このデータとパイロットは、異なる変調スキームを使用して変調されうる。各データストリームのデータレート、符号化、および変調は、メモリ１６３２、あるいは、ＵＥ １６５０の他のメモリまたは命令記憶媒体（図示されない）に記憶される命令に基づいて、プロセッサ１６３０によって行なわれる命令によって決定されうる。
【０１１７】
次に、全てのデータストリームの変調シンボルは、変調シンボルをさらに処理しうる（例えば、ＯＦＤＭインプリメンテーションの場合）ＴＸ ＭＩＭＯプロセッサ１６２０に提供されうる。次に、ＴＸ ＭＩＭＯプロセッサ１６２０は、Ｎｔ個の変調シンボルストリームをＮｔ個の送信機（ＴＭＴＲ）１６２２１〜１６２２Ｎｔに提供しうる。様々なシンボルは、送信のために、関連ＲＢにマッピングされうる。
【０１１８】
ＴＸ ＭＩＭＯプロセッサ１６３０は、ビームフォーミング重みを、シンボルが送信されている１または複数のアンテナに対応するデータストリームのシンボルに適用しうる。これは、基準信号によって、あるいは、その基準信号と共に提供されるチャネル推定情報、および／または、ＵＥのようなネットワークノードから提供される空間情報などの情報を使用することによって行われうる。例えば、beam Ｂ＝transpose（[ｂ１ ｂ２．．ｂＮｔ]）は、各送信アンテナに対応する重みのセットから構成される。ビームに沿って送信することは、アンテナのビーム重みに従ってスケールされた全てのアンテナに沿って変調シンボルｘを送信することに対応する。すなわち、アンテナｔにおいて、送信信号はｂｔ×ｘである。複数のビームが送信される場合、１つのアンテナ上の送信信号は異なるビームに対応する信号の和である。これは、数学上、Ｂ１×１＋Ｂ２×２＋ＢＮｓ×Ｎｓと表されうる。ここで、Ｎｓ個のビームが送信され、ｘｉは、ビームＢｉを使用して送られる変調シンボルである。様々なインプリメンテーションにおいて、ビームは多様な方法で選択されうる。例えば、ビームは、例えば、隣接マクロセルとの干渉緩和を容易にするために、ＵＥからのチャネルフィードバック、ｅＮＢで利用可能なチャネル知識に基づいて、あるいは、ＵＥから提供される情報に基づいて選択されうる。
【０１１９】
各送信機サブシステム１６２２１〜１６２２Ｎｔは、それぞれのシンボルストリームを受信および処理して、１または複数のアナログ信号を提供し、そのアナログ信号をさらに調整（例えば、増幅、フィルタリング、アップコンバート）して、ＭＩＭＯを通した送信に適している変調信号を提供しうる。次に、送信機１６２２１〜１６２２ＮｔからのＮｔ個の変調信号は、それぞれ、Ｎｔ個のアンテナ１６２４１〜１６２４Ｎｔから送信される。
【０１２０】
ＵＥ １６５０において、送信された変調信号は、Ｎｒ個のアンテナ１６５２１〜１６５２Ｎｒによって受信され、各アンテナ１６５２からの受信信号は、それぞれの受信機（ＲＣＶＲ）１６５４１〜１６５２Ｎｒに提供される。各受信機１６５４は、それぞれの受信信号を調整（例えば、フィルタリング、増幅、ダウンコンバート）し、その調整信号をデジタル化して、サンプルを提供し、そのサンプルをさらに処理して、対応する「受信」シンボルストリームを提供する。
【０１２１】
次に、ＲＸデータプロセッサ１６６０は、特定の受信機処理技術に基づいて、Ｎｒ個の受信機１６５４１〜１６５２ＮｒからのＮｒ個の受信シンボルストリームを受信および処理して、Ｎｓ個の「検知された」シンボルストリームを提供し、Ｎｓ個の送信シンボルストリームの推定を提供する。次に、ＲＸデータプロセッサ１６６０は、検知されたシンボルストリームの各々を復調、デインターリーブ、復号して、データストリームのトラフィックデータを回復する。ＲＸデータプロセッサ１６６０による処理は、典型的に、基地局１６１０のＴＸ ＭＩＭＯプロセッサ１６２０およびＴＸデータプロセッサ１６１４によって行なわれる処理に対して相補的である。
【０１２２】
プロセッサ１６７０は、さらに下に記述されるように、使用するプリコーディング行列を周期的に決定しうる。次に、プロセッサ１６７０は、行列インデックス部とランク値部とを含みうる逆方向リンクメッセージを定式化しうる。様々な態様において、逆方向リンクメッセージは、通信リンクおよび／または受信データストリームに関する様々なタイプの情報を含みうる。次に、逆方向リンクメッセージは、ＴＸデータプロセッサ１６３８によって処理され、データソース１６３６から多数のデータストリームのトラフィックデータを受信し、次に、それは、変調器１６８０によって変調され、送信機１６５４１〜１６５４Ｎｒによって調整され、基地局１６１０に送り戻されうる。基地局１６１０に送り戻された情報は、基地局１６１０からの干渉を緩和するために、ビームフォーミングを提供するための電力レベルおよび／または空間情報を含む。
【０１２３】
基地局１６１０において、ＵＥ １６５０からの変調信号は、アンテナ１６２４によって受信され、受信機１６２２によって調整され、復調器１６４０によって復調され、ＲＸデータプロセッサ１６４２によって処理され、ＵＥ １６５０によって送信されたメッセージを抽出しうる。次に、プロセッサ１６３０は、ビームフォーミング重みを決定するためにどのプリコーディング行列を使用するか決定し、次に、抽出されたメッセージを処理する。
【０１２４】
図１７と図１８は、それぞれ、セル間干渉協調のためにＯＴＡ負荷インジケータを提供および容易にするように構成されうる例示的なシステム１７００および１８００のブロック図の実施形態を示す。例えば、システム１７００および１８００は、ワイヤレス通信ネットワーク内に、および／または、モバイルインターフェースカードなどに結合されたノード、基地局、ｅＮＢ、アクセスポイント、ユーザ端末、ＵＥ、パーソナルコンピュータのような送信機内に少なくとも部分的に存在しうる。さらなる例として、システム１７００および１８００のコンポーネントは、図１、２、４、または図１６に示されるようなＵＥおよびｅＮＢに組み込まれうる。システム１７００および１８００が、プロセッサ、ソフトウェア、ファームウェア、プログラマブル論理、または、それらの組み合わせによって実現される機能を表わす機能ブロックでありうる機能ブロックを含むとして表わされることは認識されるべきである。
【０１２５】
図１７で示されるように、システム１７００は、受信機を用いて、近隣または隣接セルのｅＮＢでありうる近くの基地局のセットに関する受信機感度データを獲得するように構成された第１のモジュール１７０２を含みうる。受信機感度データは、それぞれの基地局に対して特定であるか、基地局のサブセットに関するデータの集約であるか、１または複数の基地局に対して生成された（例えば、パスロス計算に基づいて）公称データであるか、あるいは、他の感度関連データでありうる。加えて、システム１７００は、プロセッサを用いて、特定のリソースブロック（例えば、ワイヤレス信号の時間スロット）に対するそれぞれの基地局の送信電力を計算するように構成された第２のモジュール１７０４を含みうる。送信電力は、受信機感度データに少なくとも部分的に基づいた最大送信電力でありうる。さらに、送信電力は、近隣基地局によってブロードキャストされる負荷インジケータに基づきうる。１つの態様において、送信電力は、さらに、それぞれの基地局へのパスロスメトリックに基づきうる。別の態様において、送信電力は、前述の要因または同様のもの、あるいは追加要因の組み合わせに基づきうる。
【０１２６】
加えて、システム１７００は、ワイヤレス送信機を用いて、サービスセル基地局またはｅＮＢのようなサービングセルへの送信電力を更新するように構成された第３のモジュール１７０６を含みうる。１つの例において、各基地局についてのそれぞれの送信電力計算は、送信電力メトリックとして送信されうる。別の例示的な態様において、全ての基地局についての最も低い最大送信電力計算だけが、送信電力メトリックとして送信されうる。加えて、システム１７００は、ワイヤレス受信機を用いて、サービングセルからＵＬ送信スケジュールを受信するように構成された第４のモジュール１７０８を含み、それは、１または複数の最大送信電力計算に基づきうる。
【０１２７】
図１８は、セル間干渉協調処理の容易にするためのシステム１８００の実施形態を示す。システム１８００は、通信インターフェースを用いて、近隣基地局のセットから受信機感度データ獲得するように構成された第１のモジュール１８０２を含みうる。例えば、モジュール１８０２は、基地局間でワイヤードまたはワイヤレスバックホールを用いて、データを獲得することができる。加えて、システム１８００は、ワイヤレス送信機を用いて、システム１８００によってサービス提供されている１または複数のＵＥに感度情報を送るように構成された第２のモジュール１８０４を含みうる。システム１８００は、ワイヤレス受信機を用いて、サービス提供されるセル内のサービス提供されているＵＥでありうるＵＥから、計算された送信電力メトリックを獲得するように構成された第３のモジュール１８０６を含みうる。このメトリックは、感度情報、あるいは、オプションとして、別のワイヤレス情報（例えば、干渉補正パラメータ、パスロスなど）に基づく。さらに、システム１８００は、データプロセッサを用いて、ＵＥについてのＵＬ送信スケジュールを生成するように構成された第４のモジュール１８０８を含み、それは、送信電力メトリックに基づきうる。
【０１２８】
特定のインプリメンテーションにおいて、本明細書に記述されたような装置およびモジュールが、ＵＥ、あるいは、別の固定またはモバイルデバイスで用いられうること、および、例えば、ＳＤカード、ネットワークカード、ワイヤレスネットワークカード、コンピュータ（ラップトップ、デスクトップ、携帯情報端末（ＰＤＡ）を含む）、モバイル電話、スマートホン、あるいは、アクセスネットワークに利用されうる任意の別の適切なデバイスなどのモジュールとして実現されうることに注意されたい。ＵＥは、アクセスコンポーネントを通してネットワークにアクセスしうる。
【０１２９】
１つの例において、ＵＥとアクセスコンポーネントとの間の接続は、自然的にワイヤレスであり、ここにおいて、アクセスコンポーネントは、サービングｅＮＢ（または、別の基地局）であり、モバイルデバイスは、ワイヤレス端末でありうる。例えば、端末および基地局は、時分割多元接続（ＴＤＭＡ）、符号分割多元接続（ＣＤＭＡ）、周波数分割多元接続（ＦＤＭＡ）、直交周波数分割多重（ＯＦＤＭ）、フラッシュＯＦＤＭ、直交周波数分割多元接続（ＯＦＤＭＡ）、あるいは、あらゆる別の適切なプロトコルを含むがそれに限定されない任意の適切なワイヤレスプロトコルを通して通信しうる。
【０１３０】
アクセスコンポーネントは、ワイヤードネットワークまたはワイヤレスネットワークと関連付けられたアクセスノードでありうる。この目的のために、アクセスコンポーネントは、例えば、ルータ、スイッチ、または同様のものでありうる。アクセスコンポーネントは、別のネットワークノードと通信するために、例えば、通信モジュールのような１または複数のインターフェースを含みうる。加えて、アクセスコンポーネントは、セルラネットワーク内のｅＮＢ（または、別のワイヤレスアクセスポイント）のような基地局でありうる。ここで、基地局（または、ワイヤレスアクセスポイント）は、複数のサブキャリアにワイヤレスカバレッジエリアを提供するために利用される。
【０１３１】
いくつかの構成において、ワイヤレス通信のための装置は、本明細書に記述されたような様々な機能を行うための手段を含む。１つの態様において、前述の手段は、および、図１６〜１８に示され、前述の手段によって記載された機能を行うように構成される実施形態が存在する１つのプロセッサまたは複数のプロセッサ、関連メモリでありうる。これは、例えば、ＵＥ、ｅＮＢ、または、本明細書に示され、本明細書に記述されたセル間干渉関連機能を行うように構成されたような別のネットワークノードに存在するモジュールまたは装置でありうる。別の態様において、前述の手段は、前述の手段によって記載された機能を行うように構成されたモジュール、または、任意の装置でありうる。
【０１３２】
１または複数の例示的な実施形態において、記述された機能、方法、プロセスは、ハードウェア、ソフトウェア、ファームウェア、あるいは、それらの組み合わせで実現されうる。ソフトウェアに実現される場合、その機能は、コンピュータ可読媒体上の１または複数の命令またはコードとして記憶または符号化される。コンピュータ可読媒体は、コンピュータ記憶媒体を含む。記憶媒体は、コンピュータによりアクセスされることができる任意の利用可能な媒体である。それに制限されない例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、コンピュータによってアクセスされることができ、命令やデータ構造形で所望のプログラムコードを搬送または記憶するために使用される任意の別媒体を含むことができる。ディスク（ｄｉｓｋ）とディスク（ｄｉｓｃ）は、本明細書で使用される場合、コンパクトディスク（ＣＤ：compact disc）、レーザディスク（disc）、光ディスク（disc）、デジタル多用途ディスク（ＤＶＤ：digital versatile disc）、フロッピー（登録商標）ディスク（disk）、ブルーレイ（登録商標）ディスク（disc）を含む。ディスク（ｄｉｓｋ）は通常磁気作用によってデータを再生し、ディスク（ｄｉｓｃ）はレーザーで光学的にデータを再生する。上記の組み合わせもコンピュータ可読媒体の範囲内に含まれるべきである。
【０１３３】
開示されたプロセスおよび方法におけるステップまたはステージの特定の順序または階レイヤが例示的なアプローチの一例であることは理解される。設計の選好（design preference）に基づいて、プロセスにおけるステップの特定の順序または階レイヤが、本開示の範囲を逸脱することなく再配列されうることが理解される。添付の方法請求項は様々なステップのエレメントを例示的な順序で提示し、提示される特定の順序または階層化レイヤに限定されることを意味しない。
【０１３４】
当業者は、情報と信号が、任意の多種多様なテクノロジと技術を用いて表されることを理解するであろう。例えば、上の記述全体を通して参照されるデータ、指示、命令、情報、信号、ビット、シンボル、およびチップは、電圧、電流、電磁波、磁場または粒子、光電場または光粒子、または、これらのあらゆる組み合わせによって表されうる。
【０１３５】
当業者はさらに、本明細書に開示される実施形態と関連して記述されている様々な実例となる論理ブロック、モジュール、回路、アルゴリズムステップが、電子ハードウェア、コンピュータソフトウェアまたは両方の組み合わせとして実現されうることを認識するであろう。このハードウェアとソフトウェアの互換性を明確に示すために、様々な実例となるコンポーネント、ブロック、モジュール、回路、ステップが、それらの機能性という観点から一般的に上に記述されている。ハードウェア、または、ソフトウェアとしてそのような機能性が実現されるか否かは、特定のアプリケーションとシステム全体に課された設計制約とに依存する。当業者は各特定アプリケーションについて様々な方法で上記機能性を実現することができるが、このような実現の決定は、本開示の範囲からの逸脱の原因になるとして解釈されるべきではない。
【０１３６】
本明細書に開示された実施形態と関連して記述される様々な実例となる論理ブロック、モジュール、回路は、汎用プロセッサ、デジタル信号プロセッサ（ＤＳＰ）、特定用途向け集積回路（ＡＳＩＣ）、書替え可能ゲートアレイ（ＦＰＧＡ）または他のプログラマブル論理デバイス、ディスクリートゲートまたはトランジスタ論理、ディスクリートハードウェアコンポーネント、あるいは、本明細書に記述された機能を実行するよう設計されたこれらの任意の組み合わせと一緒に実現または実行される。汎用プロセッサはマイクロプロセッサでありうるが、代替で、プロセッサは任意の従来のプロセッサ、コントローラ、マイクロコントローラ、またはステートマシンでありうる。プロセッサは、さらに、例えば、ＤＳＰとマクロプロセッサ、複数のマイクロプロセッサ、ＤＳＰコアに結合した１または複数のマイクロプロセッサ、その他の上記構成の組み合わせといった計算デバイスの組み合わせとしても実現されうる。
【０１３７】
本明細書に開示された実施形態に関連して記述される方法、プロセス、またはアルゴリズムのステップまたはステージは、直接的にハードウェアに、プロセッサによって実行されるソフトウェアモジュールに、または、それら二つの組み合わせに組み込まれうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または、本技術分野において周知の記憶媒体の他の形態に存在しうる。例示的な記憶媒体は、プロセッサが記憶媒体から情報を読み取り、記憶媒体に情報を書き込むことができるようにプロセッサに結合される。代替において、記憶媒体はプロセッサに一体化されうる。プロセッサと記憶媒体はＡＳＩＣに存在しうる。ＡＳＩＣはユーザ端末に存在しうる。代替において、プロセッサと記憶媒体は、個別コンポーネントとして、ユーザ端末に存在しうる。
【０１３８】
特許請求の範囲は、本明細書に示された態様に限定されることを目的としておらず、特許請求の範囲の言語と合致する最も広い範囲が与えられるべきである。ここで、単数形のエレメントへの参照は、そのように別途記述されていない限り、「１つおよび１つだけ」を意味することが企図されるわけではなく、むしろ、「１または複数の」を意味している。別途記述されていない限り、「いくつかの（some）」という用語は、「１または複数の」を指す。項目のリスト「のうちの少なくとも１つ」という表現への参照は、単一のメンバを含む、これらの項目のあらゆる組み合わせを指す。例として、「ａ、ｂ、またはｃのうちの少なくとも１つ」は、ａ、ｂ、ｃ、ａとｂ、ａとｃ、ｂとｃ、ａとｂとｃをカバーすることが企図される。
【０１３９】
開示される態様の以上の記述は、当業者が本開示を実施および使用することを可能にするために提供される。これらの態様に対する様々な変更は当業者には容易に明らかであり、本明細書で定義された包括的な原理は、本開示の精神または範囲を逸脱することなく他の態様に対して適用されうる。従って、本開示は、本明細書に記載される態様に制限されることを企図しておらず、本明細書で開示される原理および新規な特徴と合致する最も広い範囲が与えられるべきである。これは、次の特許請求の範囲およびその均等物が、本開示の範囲であることを企図する。
以下に、本願出願の当初の特許請求の範囲に記載された発明を付記する。
［Ｃ１］
セル間干渉協調を提供する方法であって、
１または複数の負荷インジケータ信号を、１または複数の隣接セルで動作する対応する１または複数のネットワークノードから受信することと、
前記１または複数の負荷インジケータ信号に少なくとも部分的に基づいて送信電力メトリックを決定することと、
前記送信電力メトリックを、サービングネットワークノードに送ることと
備える、方法。
［Ｃ２］
前記送信電力メトリックを決定することは、リソースブロックごとの最大電力メトリックを生成することを含む、
［Ｃ１］に記載の方法。
［Ｃ３］
前記リソースブロックごとの最大電力メトリックは、１または複数の構成サブ帯域の各々に対して生成されるサブ帯域メトリックに基づく、
［Ｃ２］に記載の方法。
［Ｃ４］
受信機感度データを受信することをさらに備え、前記送信電力メトリックは、さらに、前記受信機感度データに部分的に基づく、
［Ｃ１］に記載の方法。
［Ｃ５］
前記送信電力メトリックは、さらに、前記対応するネットワークノードのうちの１または複数と関連付けられたパスロス値に部分的に基づく、
［Ｃ１］に記載の方法。
［Ｃ６］
前記送ることは、前記送信電力メトリックを、サブ帯域の構成数に対応するプロトコルデータユニット（ＰＤＵ）フォーマットで送ることを含む、
［Ｃ１］に記載の方法。
［Ｃ７］
前記送信電力メトリックを決定することは、前記複数の負荷インジケータ信号のうちの各々に対して複数の最大電力メトリックのうちのいくつかを決定することを含み、前記送信電力メトリックは、前記複数の負荷インジケータ信号の各々に対して、前記最大電力メトリックのうちの１または複数に基づきうる、
［Ｃ１］に記載の方法。
［Ｃ８］
前記送信電力メトリックを決定することは、前記複数の負荷インジケータ信号の各々に対して、複数の最大電力メトリックのうちのいくつかを決定することを含み、前記送信電力メトリックは、前記複数の最大電力メトリックのうちの最小値に基づく、
［Ｃ１］に記載の方法。
［Ｃ９］
前記サービングネットワークノード、および、前記隣接セルで動作する１または複数のネットワークノードは、ｅＮＢである、
［Ｃ１］に記載の方法。
［Ｃ１０］
前記決定することは、単一のサブフレームで行われる、
［Ｃ１］に記載の方法。
［Ｃ１１］
前記送ることは、サブフレームごとに一度、あるいは、整数倍の数のサブフレームごとに一度行われる、
［Ｃ１］に記載の方法。
［Ｃ１２］
特定のアップリンクチャネル割当を受信することをさらに備え、前記送信電力メトリックは、前記受信されたアップリンクチャネル割当上で送られる、
［Ｃ１］に記載の方法。
［Ｃ１３］
コンピュータ可読媒体を備えるコンピュータプログラムプロダクトであって、前記コンピュータ可読媒体は、コンピュータに対して、
１または複数の隣接セルで動作する、対応する１または複数のネットワークノードから１または複数の負荷インジケータ信号を受信させるためのコードと、
前記１または複数の負荷インジケータ信号に少なくとも部分的に基づいて送信電力メトリックを決定させるためのコードと、
前記送信電力メトリックをサービングネットワークノードに送らせるためのコードと
を含む、コンピュータプログラムプロダクト。
［Ｃ１４］
前記送信電力メトリックを決定させるためのコードは、前記コンピュータに対して、リソースブロックごとの最大電力メトリックを生成させるためのコードを含む、
［Ｃ１３］に記載のコンピュータプログラムプロダクト。
［Ｃ１５］
前記コードは、さらに、前記コンピュータに対して、感度データを受信させるためのコードを含み、前記送信電力メトリックは、さらに、前記受信機感度データに部分的に基づく、
［Ｃ１３］に記載のコンピュータプログラムプロダクト。
［Ｃ１６］
前記コードは、さらに、前記コンピュータに対して、前記対応するネットワークノードの１または複数と関連付けられたパスロス値に少なくとも部分的に基づいて、前記送信電力メトリックを生成させるためのコードを含む、
［Ｃ１３］に記載のコンピュータプログラムプロダクト。
［Ｃ１７］
前記送信電力メトリックを決定させるためのコードは、前記コンピュータに対して、前記複数の負荷インジケータ信号の各々に対して、複数の最大電力メトリックのうちのいくつかを決定させるためのコードを含み、前記送信電力メトリックは、前記複数の負荷インジケータ信号の各々に対して、前記最大電力メトリックのうちの１または複数に基づく、
［Ｃ１３］に記載のコンピュータプログラムプロダクト。
［Ｃ１８］
前記送信電力メトリックを決定させるためのコードは、前記コンピュータに対し、前記複数の負荷インジケータ信号の各々に対して、複数の最大電力メトリックのうちのいくつかを決定させるためのコードを含み、前記送信電力メトリックは、前記複数の最大電力メトリックの最小値に基づく、
［Ｃ１３］に記載のコンピュータプログラムプロダクト。
［Ｃ１９］
通信デバイスであって、
１または複数の負荷インジケータ信号を、１または複数の隣接セルで動作する対応する１または複数のネットワークノードから受信するように構成された受信機モジュールと、
前記１または複数の負荷インジケータ信号に少なくとも部分的に基づいて送信電力メトリックを決定するように構成されたプロセッサモジュールと、
前記送信電力メトリックを、サービングネットワークノードに送るように構成された送信機モジュールと
を備える、通信デバイス。
［Ｃ２０］
前記プロセッサモジュールは、リソースブロックごとの最大電力メトリックを生成することによって、送信電力メトリックを決定ように構成される、
［Ｃ１９］に記載の通信デバイス。
［Ｃ２１］
前記プロセッサモジュールは、さらに、受信機感度データに部分的に基づいて前記送信電力メトリックを生成するように構成される、
［Ｃ１９］に記載の通信デバイス。
［Ｃ２２］
前記プロセッサモジュールは、さらに、前記対応するネットワークノードのうちの１または複数と関連付けられたパスロス値に基づいて前記送信電力メトリックを生成するように構成される、
［Ｃ１９］に記載の通信デバイス。
［Ｃ２３］
前記プロセッサモジュールは、さらに、前記複数の負荷インジケータ信号の各々に対して、複数の最大電力メトリックのうちのいくつかを決定するように構成され、前記送信電力メトリックは、前記複数の負荷インジケータ信号の各々に対して、前記最大電力メトリックのうちの１または複数に基づく、
［Ｃ１９］に記載の通信デバイス。
［Ｃ２４］
前記プロセッサモジュールは、さらに、前記複数の負荷インジケータ信号の各々に対して複数の最大電力メトリックのうちのいくつかを決定するように構成され、前記送信電力メトリックは、前記複数の最大電力メトリックの最小値に基づく、
［Ｃ１９］に記載の通信デバイス。
［Ｃ２５］
通信デバイスであって、
１または複数の負荷インジケータ信号を、１または複数の隣接セルで動作する対応する１または複数のネットワークノードから受信するための手段と、
前記１または複数の負荷インジケータ信号に少なくとも部分的に基づいて送信電力メトリックを決定するための手段と、
前記送信電力メトリックを、サービングネットワークノードに送るための手段と
を備える、通信デバイス。
［Ｃ２６］
負荷インジケーションを提供するための方法であって、
サービス提供されるＵＥから送信電力メトリックを受信することと
前記送信電力メトリックに少なくとも部分的に基づいて、前記サービス提供されるＵＥについてのアップリンクスケジューリング割当を生成することと、
を備える、方法。
［Ｃ２７］
前記送信電力メトリックは、リソースブロックごとの最大電力メトリックを備える、
［Ｃ２６］に記載の方法。
［Ｃ２８］
前記送信電力メトリックは、サブフレームごとに、あるいは、整数倍の数のサブフレームごとに受信される、
［Ｃ２６］に記載の方法。
［Ｃ２９］
前記送信電力メトリックを送るためにアップリンク割付を提供することと、
前記割付と一致する前記送信電力メトリックを受信することと
をさらに備える、［Ｃ２６］に記載の方法。
［Ｃ３０］
前記アップリンクスケジューリング割当を前記サービス提供されるＵＥに送ることをさらに備える、
［Ｃ２６］に記載の方法。
［Ｃ３１］
コンピュータ可読媒体を備えるコンピュータプログラムプロダクトであって、前記コンピュータ可読媒体は、コンピュータに対して、
サービス提供されるユーザ機器（ＵＥ）から送信電力メトリックを受信させるためのコードと、
前記送信電力メトリックに少なくとも部分的に基づいて、前記サービス提供されるＵＥについてのアップリンクスケジューリング割当を生成させるためのコードと
を含む、コンピュータプログラムプロダクト。
［Ｃ３２］
前記送信電力メトリックは、リソースブロックごとの最大電力メトリックを備える、
［Ｃ３１］に記載のコンピュータプログラムプロダクト。
［Ｃ３３］
前記送信電力メトリックは、サブフレームごとに、あるいは、整数倍の数のサブフレームごとに受信される、
［Ｃ３１］に記載のコンピュータプログラムプロダクト。
［Ｃ３４］
前記コードは、さらに、前記コンピュータに対して、
前記送信電力メトリックを送るためにアップリンク割付を提供させるためのコードと、
前記割付と一致する前記送信電力メトリックを受信させるためのコードと
を備える、［Ｃ３１］に記載のコンピュータプログラムプロダクト。
［Ｃ３５］
前記コードは、さらに、前記コンピュータに対して、前記アップリンクスケジューリング割当を前記サービス提供されるＵＥに送らせるコードを備える、
［Ｃ３１］に記載のコンピュータプログラムプロダクト。
［Ｃ３６］
通信デバイスであって
サービス提供されるＵＥから送信電力メトリックを受信するように構成された受信機モジュールと、
前記送信電力メトリックに少なくとも部分的に基づいて、前記サービス提供されるＵＥについてのアップリンクスケジューリング割当を生成するように構成されたプロセッサモジュールと
を備える、通信デバイス。
［Ｃ３７］
前記送信電力メトリックは、リソースブロックごとの最大電力メトリックを備える、
［Ｃ３６］に記載の通信デバイス。
［Ｃ３８］
前記送信電力メトリックは、サブフレームごとに、あるいは、整数倍の数のサブフレームごとに受信される、
［Ｃ３６］に記載の通信デバイス。
［Ｃ３９］
前記プロセッサモジュールは、さらに、前記送信電力メトリックを送るためにアップリンク割付を提供するように構成され、
前記受信機モジュールは、さらに、前記割付と一致する前記送信電力メトリックを受信するように構成される、
［Ｃ３６］に記載の通信デバイス。
［Ｃ４０］
前記アップリンクスケジューリング割当を前記サービス提供されるＵＥに送るように構成された送信機モジュールをさらに備える、
［Ｃ３６］に記載の通信デバイス。
［Ｃ４１］
通信デバイスであって
サービス提供されるＵＥから送信電力メトリックを受信するための手段と、
前記送信電力メトリックに少なくとも部分的に基づいて、前記サービス提供されるＵＥについてのアップリンクスケジューリング割当を生成するための手段と
を備える、通信デバイス。
【図１】
0005519014.tif 000003
【図２】
0005519014.tif 000004
【図３】
0005519014.tif 000005
【図４】
0005519014.tif 000006
【図５】
0005519014.tif 000007
【図６】
0005519014.tif 000008
【図７】
0005519014.tif 000009
【図８】
0005519014.tif 000010
【図９】
0005519014.tif 000011
【図１０】
0005519014.tif 000012
【図１１】
0005519014.tif 000013
【図１２】
0005519014.tif 000014
【図１３】
0005519014.tif 000015
【図１４】
0005519014.tif 000016
【図１５】
0005519014.tif 000017
【図１６】
0005519014.tif 000018
【図１７】
0005519014.tif 000019
【図１８】
0005519014.tif 000020